(57)【要約】本発明は、移動端末機および移動端末機が結合されるケースを備える電子機器、ならびにその制御方法を開示する。本発明による電子機器であって、移動端末機は、ケースに結合される端末機本体と、接続ポートと、第１ディスプレイ部と、メモリと、を有する。また、ケースは、端末機本体の少なくとも一部を収容するように形成される第１本体と、第１本体の一側において移動端末機の接続ポートに挿入されるように形成されるコネクタと、第２ディスプレイ部が配置される第２本体と、第１本体と第２本体とを電気的に接続して移動端末機から受信した信号を第２ディスプレイ部に伝達するように構成される配線部と、を有する。ここで、移動端末機の制御部は、コネクタと接続ポートとの接続状態を検知し、第１ディスプレイ部のアクティブ状態が維持されている間に、第１および第２ディスプレイ部のいずれかに予め設定されたタッチが検知されると、第２ディスプレイ部をアクティブ状態に移行させる制御信号を第２ディスプレイ部に送信し、第２ディスプレイ部に出力される画面情報に関連するタスクが挿入されるサブスタックをメモリに生成する。【選択図】図４
2021526267.tif 000002
【特許請求の範囲】
【請求項１】
移動端末機と前記移動端末機が結合されるケースとを有する電子機器であって、
前記移動端末機は、
前記ケースに結合される端末機本体と、
前記端末機本体の一側に備えられる接続ポートと、
前記ケースに結合される第１ディスプレイ部と、
メモリと、を有し、
前記ケースは、
前記端末機本体の少なくとも一部を収容するように形成される第１本体と、
前記第１本体の一側において前記第１本体の内側に向かって突出するように配設され、前記移動端末機の端末機本体が収容されると前記接続ポートに挿入されるように形成されるコネクタと、
第２ディスプレイ部が配置される第２本体と、
前記第１本体と前記第２本体とを電気的に接続し、前記移動端末機から受信した信号を前記第２ディスプレイ部に伝達するように構成される配線部と、を有し、
前記移動端末機の制御部は、
前記コネクタと前記接続ポートとの接続状態を検知し、前記第１ディスプレイ部のアクティブ状態が維持されている間に、前記第１ディスプレイ部および前記第２ディスプレイ部のいずれかに予め設定されたタッチが検知されると、前記第２ディスプレイ部をアクティブ状態に移行させる制御信号を前記第２ディスプレイ部に送信し、
前記第２ディスプレイ部に出力される画面情報に関連するタスクが挿入されるサブスタックを前記メモリに生成する、電子機器。
【請求項２】
前記移動端末機の制御部は、
前記サブスタックに挿入されたタスクに対応する画面情報が前記第２ディスプレイ部に表示されている間に、
前記第２ディスプレイ部に前記予め設定されたタッチが検知されると、前記第２ディスプレイ部をアクティブ状態から非アクティブ状態に移行させる制御信号を前記第２ディスプレイ部に送信し、
前記第２ディスプレイ部が非アクティブ状態に移行したことに基づいて前記サブスタックを削除する、請求項１に記載の電子機器。
【請求項３】
前記移動端末機の制御部は、
前記第１ディスプレイ部に表示された第１ホームスクリーンページのための第１メインスタックが維持されている間に、前記第１ホームスクリーンページを用いて第１アプリケーションが実行されたことに基づいて前記第１アプリケーションに関連するタスクが挿入される第２メインスタックを生成し、
前記第２ディスプレイ部に表示された第２ホームスクリーンページのための第１サブスタックが維持されている間に、前記第２ホームスクリーンページを用いて第２アプリケーションが実行されたことに基づいて前記第２アプリケーションに関連するタスクが挿入される第２サブスタックを生成し、
前記第１ディスプレイ部には、前記第２メインスタックに挿入されたタスクに対応する第１画面情報が表示され、
前記第２ディスプレイ部には、前記第２サブスタックに挿入されたタスクに対応する第２画面情報が表示されるように、前記第２画面情報に対応する画像信号を前記配線部を介して前記第２ディスプレイ部に送信する、請求項１に記載の電子機器。
【請求項４】
前記移動端末機の制御部は、
前記第１ディスプレイ部に表示された前記第１画面情報のサイズを拡張するための入力を受信したことに基づいて、
前記第２メインスタックに有される前記第１画面情報に対応するタスクを前記第２サブスタックに挿入するように前記メモリを制御し、
前記第１画面情報のサイズを拡張し、前記拡張された第１画面情報の第１部分は前記第１ディスプレイ部に表示され、前記拡張された第１画面情報の前記第１部分を除く第２部分は前記第２ディスプレイ部に表示されるように、前記第２部分に対応する画像信号を前記配線部を介して前記第２ディスプレイ部に送信する、請求項３に記載の電子機器。
【請求項５】
前記移動端末機の制御部は、
前記拡張された第１画面情報が前記第１ディスプレイ部および第２ディスプレイ部に表示されている間に、前記拡張された第１画面情報のサイズを復元するための入力を受信したことに基づいて、
前記拡張された第１画面情報のサイズを縮小して前記第１ディスプレイ部に表示し、前記第２サブスタックから前記第１画面情報に対応するタスクを削除し、前記第２画面情報に対応する画像信号を前記配線部を介して前記第２ディスプレイ部に送信する、請求項４に記載の電子機器。
【請求項６】
前記移動端末機の制御部は、
前記第１ディスプレイ部に表示された前記第１画面情報を前記第２ディスプレイ部に移動させるための入力を受信したことに応答して、
前記第２メインスタックに有されるタスクを削除して前記第２サブスタックに挿入し、前記第１画面情報に関連するタスクに対応する画面情報が前記第２ディスプレイ部に出力されるように、前記第１画面情報に対応する画像信号を前記配線部を介して送信する、請求項３に記載の電子機器。
【請求項７】
前記移動端末機の制御部は、
前記第２ディスプレイ部に表示された前記第２画面情報を前記第１ディスプレイ部に移動させるための入力を受信したことに応答して、
前記第２サブスタックに有されるタスクを削除して前記第２メインスタックに挿入し、前記第２画面情報を前記第１ディスプレイ部に表示する、請求項３に記載の電子機器。
【請求項８】
前記移動端末機の制御部は、
前記第２サブスタックに有されるタスクを削除した後、前記第２サブスタックに有されるタスクがないと判断すると、前記第２サブスタックを削除し、
前記第１サブスタックに有されるタスクに対応する第２ホームスクリーンページが前記第２ディスプレイ部に表示されるように、前記第２ホームスクリーンページに対応する画像信号を前記第２ディスプレイ部に送信する、請求項７に記載の電子機器。
【請求項９】
前記移動端末機の制御部は、
前記第１ディスプレイ部に表示された前記第１画面情報を前記第２ディスプレイ部にミラーリングするための入力を受信したことに基づいて、
前記第１画面情報が前記第１ディスプレイ部に表示されている間に、前記第１画面情報に関連するタスクを前記第２サブスタックに挿入し、前記第２ディスプレイ部に出力される前記第１画面情報に対応する画像信号を前記配線部を介して前記第２ディスプレイ部に送信する、請求項３に記載の電子機器。
【請求項１０】
前記移動端末機の制御部は、
前記第１ディスプレイ部に表示された前記第１画面情報に対するタッチ入力に基づいて、前記第１アプリケーションの実行デプスを変更し、前記変更された実行デプスに対応する前記第１アプリケーションの第３画面情報を前記第１ディスプレイ部に表示し、
前記第２サブスタックにおいて前記第１画面情報に関連するタスクが維持されている間に、前記第２メインスタックには前記第３画面情報に関連するタスクが挿入される、請求項９に記載の電子機器。
【請求項１１】
前記メモリは、
前記第２メインスタックに有されるタスクがアプリケーション単位で構成される実行タスクを有する第３メインスタックと、前記第２サブスタックに有されるタスクがアプリケーション単位で構成される実行タスクを有する第３サブスタックと、を有し、
前記移動端末機の制御部は、
前記第１ディスプレイ部に前記第３メインスタックに有される実行タスクに対応するリスト画面が表示された状態で、前記リスト画面から選択されたアプリケーションの実行画面を前記第２ディスプレイ部に移動させるための入力を受信したことに基づいて、
前記第１ディスプレイ部のための前記第２メインスタックおよび第３メインスタックから前記選択されたアプリケーションに関連するタスクのみ削除されるように、前記第２メインスタックおよび第３メインスタックの整列を行い、前記選択されたアプリケーションに関連するタスクを前記第２サブスタックおよび第３サブスタックに挿入し、
前記選択されたアプリケーションの実行画面が前記第２ディスプレイ部に出力されるように、前記実行画面に対応する画像信号を前記配線部を介して前記第２ディスプレイ部に送信する、請求項３に記載の電子機器。
【請求項１２】
前記移動端末機の制御部は、
前記選択されたアプリケーションの実行画面が前記第２ディスプレイ部に表示されている間に、前記第１ディスプレイ部に表示された前記リスト画面のいずれかの実行画面に対するタッチ入力を受信したことに応答して、
前記タッチ入力が行われた実行画面に関連するタスクが前記第２メインスタックおよび第３メインスタックの最上位に位置するように整列を行い、
前記タッチ入力が行われた実行画面を前記第１ディスプレイ部に表示する、請求項１１に記載の電子機器。
【請求項１３】
前記第２本体の前側には、第３ディスプレイ部が備えられ、
前記第１ディスプレイ部および前記第２ディスプレイ部は、
前記第２ディスプレイ部により前記第１ディスプレイ部が覆われている閉状態と、前記第２ディスプレイ部により前記第１ディスプレイ部が遮蔽されていない開状態と、のいずれかの状態を有し、
前記移動端末機の制御部は、
前記閉状態で少なくとも１つのアプリケーションに関連するイベントの発生が検知されると、前記イベントに関する情報を出力するための信号を前記配線部を介して前記第３ディスプレイ部に送信する、請求項３に記載の電子機器。
【請求項１４】
前記移動端末機の制御部は、
前記閉状態で前記イベントに関する情報が前記第３ディスプレイ部に表示されている間に前記閉状態から前記開状態に移行したことに基づいて、
前記第２ディスプレイ部をアクティブにし、前記アクティブになった第２ディスプレイ部に前記イベントに対応する画面情報を出力するための信号を前記配線部を介して前記第２ディスプレイ部に送信し、
前記開状態への移行が検知された時点で前記第２ディスプレイ部のための前記第２サブスタックおよび第３サブスタックを一度に生成する、請求項１３に記載の電子機器。
【発明の詳細な説明】
【技術分野】
【０００１】
本発明は、移動端末機および移動端末機が結合されるケースを備える電子機器、ならびにその制御方法に関する。
【背景技術】
【０００２】
端末機は、移動可能であるか否かによって、移動端末機（mobile/portable terminal）と固定端末機（stationary terminal）とに分けられる。さらに、移動端末機は、ユーザが直接携帯可能であるか否かによって、携帯（型）端末機（handheld terminal）と車載端末機（vehicle mount terminal）とに分けられる。
【０００３】
移動端末機の機能は多様化している。例えば、データ通信および音声通信、カメラによる写真撮影および動画像撮影、音声録音、スピーカシステムによる音楽ファイルの再生、ディスプレイ部への静止画像および動画像の出力などの機能がある。一部の移動端末機は、電子ゲーム機能やマルチメディアプレーヤ機能を備える。特に、最近の移動端末機は、放送、ビデオ、テレビ番組などの視覚的コンテンツを提供するマルチキャスト信号を受信することができる。
【０００４】
このような端末機は、機能が多様化することにより、例えば写真や動画像の撮影、音楽や動画像ファイルの再生、ゲーム、放送受信などの複合的な機能を備えたマルチメディア機器の形で実現されている。
【０００５】
一方、近年、このような多様な機能をより効率的に活用できるように、移動端末機を移動端末機に連動する外部機器と共に実現し、移動端末機の使用性をより向上させる傾向にある。この場合、移動端末機および移動端末機に連動する外部機器は、ユーザ利便性および使用性の向上のために、必要に応じて独立してまたは連動して動作することが好ましい。
【０００６】
なお、移動端末機の使用性の拡張のために製品の構造を変更する場合、様々なモデルとの互換性も考慮して研究および製作を行う必要がある。
【発明の概要】
【発明が解決しようとする課題】
【０００７】
本発明の目的は、移動端末機に連動するさらなるディスプレイ部を備えるケースに移動端末機を結合し、移動端末機の表示領域を拡張することのできる、移動端末機およびその移動端末機が結合されるケースを含む電子機器を提供することにある。
【０００８】
本発明の他の目的は、様々なモデルとの互換性を有し、通信のための別途のチップを必要としないように、ケースに備えられるディスプレイ部を有線通信により制御することのできる、移動端末機およびその移動端末機が結合されるケースを含む電子機器を提供することにある。
【０００９】
本発明のさらに他の目的は、移動端末機に備えられるディスプレイ部とケースに備えられるさらなるディスプレイ部とを、必要に応じて独立してまたは連動して用い、様々な状態変化に適した動作を行えるように実現することにより、使用性の拡張および利便性の向上をもたらす、移動端末機およびその移動端末機が結合されるケースを含む電子機器を提供することにある。
【課題を解決するための手段】
【００１０】
そこで、本発明による移動端末機と移動端末機が結合されるケースとを有する電子機器であって、移動端末機は、ケースに結合される端末機本体と、端末機本体の一側に備えられる接続ポートと、ケースに結合される第１ディスプレイ部と、メモリと、を有し、ケースは、端末機本体の少なくとも一部を収容するように形成される第１本体と、第１本体の一側において第１本体の内側に向かって突出するように配設され、移動端末機の端末機本体が収容されると接続ポートに挿入されるように形成されるコネクタと、第２ディスプレイ部が配置される第２本体と、第１本体と第２本体とを電気的に接続し、移動端末機から受信した信号を第２ディスプレイ部に伝達するように構成される配線部と、を有し、移動端末機の制御部は、コネクタと接続ポートとの接続状態を検知し、第１ディスプレイ部のアクティブ状態が維持されている間に、第１ディスプレイ部および第２ディスプレイ部のいずれかに予め設定されたタッチが検知されると、第２ディスプレイ部をアクティブ状態に移行させる制御信号を第２ディスプレイ部に送信し、第２ディスプレイ部に出力される画面情報に関連するタスクが挿入されるサブスタックをメモリに生成するようにしてもよい。
【００１１】
また、一実施形態において、移動端末機の制御部は、サブスタックに挿入されたタスクに対応する画面情報が第２ディスプレイ部に表示されている間に、第２ディスプレイ部に予め設定されたタッチが検知されると、第２ディスプレイ部をアクティブ状態から非アクティブ状態に移行させる制御信号を第２ディスプレイ部に送信し、第２ディスプレイ部が非アクティブ状態に移行したことに基づいてサブスタックを削除するようにしてもよい。
【００１２】
さらに、一実施形態において、移動端末機の制御部は、第１ディスプレイ部に表示された第１ホームスクリーンページのための第１メインスタックが維持されている間に、第１ホームスクリーンページを用いて第１アプリケーションが実行されたことに基づいて第１アプリケーションに関連するタスクが挿入される第２メインスタックを生成し、第２ディスプレイ部に表示された第２ホームスクリーンページのための第１サブスタックが維持されている間に、第２ホームスクリーンページを用いて第２アプリケーションが実行されたことに基づいて第２アプリケーションに関連するタスクが挿入される第２サブスタックを生成し、第１ディスプレイ部には、第２メインスタックに挿入されたタスクに対応する第１画面情報が表示され、第２ディスプレイ部には、第２サブスタックに挿入されたタスクに対応する第２画面情報が表示されるように、第２画面情報に対応する画像信号を配線部を介して第２ディスプレイ部に送信するようにしてもよい。
【００１３】
さらに、一実施形態において、移動端末機の制御部は、第１ディスプレイ部に表示された第１画面情報のサイズを拡張するための入力を受信したことに基づいて、第２メインスタックに有される第１画面情報に対応するタスクを第２サブスタックに挿入するようにメモリを制御し、第１画面情報のサイズを拡張し、拡張された第１画面情報の第１部分は第１ディスプレイ部に表示され、拡張された第１画面情報の第１部分を除く第２部分は第２ディスプレイ部に表示されるように、第２部分に対応する画像信号を配線部を介して第２ディスプレイ部に送信するようにしてもよい。
【００１４】
さらに、一実施形態において、移動端末機の制御部は、拡張された第１画面情報が第１ディスプレイ部および第２ディスプレイ部に表示されている間に、拡張された第１画面情報のサイズを復元するための入力を受信したことに基づいて、拡張された第１画面情報のサイズを縮小して第１ディスプレイ部に表示し、第２サブスタックから第１画面情報に対応するタスクを削除し、第２画面情報に対応する画像信号を配線部を介して第２ディスプレイ部に送信するようにしてもよい。
【００１５】
さらに、一実施形態において、移動端末機の制御部は、第１ディスプレイ部に表示された第１画面情報を第２ディスプレイ部に移動させるための入力を受信したことに応答して、第２メインスタックに有されるタスクを削除して第２サブスタックに挿入し、第１画面情報に関連するタスクに対応する画面情報が第２ディスプレイ部に出力されるように、第１画面情報に対応する画像信号を配線部を介して送信するようにしてもよい。
【００１６】
さらに、一実施形態において、移動端末機の制御部は、第２ディスプレイ部に表示された第２画面情報を第１ディスプレイ部に移動させるための入力を受信したことに応答して、第２サブスタックに有されるタスクを削除して第２メインスタックに挿入し、第２画面情報を第１ディスプレイ部に表示するようにしてもよい。
【００１７】
さらに、一実施形態において、移動端末機の制御部は、第２サブスタックに有されるタスクを削除した後、第２サブスタックに有されるタスクがないと判断すると、第２サブスタックを削除し、第１サブスタックに有されるタスクに対応する第２ホームスクリーンページが第２ディスプレイ部に表示されるように、第２ホームスクリーンページに対応する画像信号を第２ディスプレイ部に送信するようにしてもよい。
【００１８】
さらに、一実施形態において、移動端末機の制御部は、第１ディスプレイ部に表示された第１画面情報を第２ディスプレイ部にミラーリングするための入力を受信したことに基づいて、第１画面情報が第１ディスプレイ部に表示されている間に、第１画面情報に関連するタスクを第２サブスタックに挿入し、第２ディスプレイ部に出力される第１画面情報に対応する画像信号を配線部を介して第２ディスプレイ部に送信するようにしてもよい。
【００１９】
さらに、一実施形態において、移動端末機の制御部は、第１ディスプレイ部に表示された第１画面情報に対するタッチ入力に基づいて、第１アプリケーションの実行デプスを変更し、変更された実行デプスに対応する第１アプリケーションの第３画面情報を第１ディスプレイ部に表示し、第２サブスタックにおいて第１画面情報に関連するタスクが維持されている間に、第２メインスタックには第３画面情報に関連するタスクが挿入されるようにしてもよい。
【００２０】
さらに、一実施形態において、メモリは、第２メインスタックに有されるタスクがアプリケーション単位で構成される実行タスクを有する第３メインスタックと、第２サブスタックに有されるタスクがアプリケーション単位で構成される実行タスクを有する第３サブスタックと、を有し、移動端末機の制御部は、第１ディスプレイ部に第３メインスタックに有される実行タスクに対応するリスト画面が表示された状態で、リスト画面から選択されたアプリケーションの実行画面を第２ディスプレイ部に移動させるための入力を受信したことに基づいて、第１ディスプレイ部のための第２メインスタックおよび第３メインスタックから選択されたアプリケーションに関連するタスクのみ削除されるように、第２メインスタックおよび第３メインスタックの整列を行い、選択されたアプリケーションに関連するタスクを第２サブスタックおよび第３サブスタックに挿入し、選択されたアプリケーションの実行画面が第２ディスプレイ部に出力されるように、実行画面に対応する画像信号を配線部を介して第２ディスプレイ部に送信するようにしてもよい。
【００２１】
さらに、一実施形態において、移動端末機の制御部は、選択されたアプリケーションの実行画面が第２ディスプレイ部に表示されている間に、第１ディスプレイ部に表示されたリスト画面のいずれかの実行画面に対するタッチ入力を受信したことに応答して、タッチ入力が行われた実行画面に関連するタスクが第２メインスタックおよび第３メインスタックの最上位に位置するように整列を行い、タッチ入力が行われた実行画面を第１ディスプレイ部に表示するようにしてもよい。
【００２２】
さらに、一実施形態において、第２本体の前側には、第３ディスプレイ部が備えられ、第１ディスプレイ部および第２ディスプレイ部は、第２ディスプレイ部により第１ディスプレイ部が覆われている閉状態と、第２ディスプレイ部により第１ディスプレイ部が遮蔽されていない開状態と、のいずれかの状態を有し、移動端末機の制御部は、閉状態で少なくとも１つのアプリケーションに関連するイベントの発生が検知されると、イベントに関する情報を出力するための信号を配線部を介して第３ディスプレイ部に送信するようにしてもよい。
【００２３】
さらに、一実施形態において、移動端末機の制御部は、閉状態でイベントに関する情報が第３ディスプレイ部に表示されている間に閉状態から開状態に移行したことに基づいて、第２ディスプレイをアクティブにし、アクティブになった第２ディスプレイ部にイベントに対応する画面情報を出力するための信号を配線部を介して第２ディスプレイ部に送信し、開状態への移行が検知された時点で第２ディスプレイ部のための第２サブスタックおよび第３サブスタックを一度に生成するようにしてもよい。
【発明の効果】
【００２４】
このように、本発明による移動端末機および移動端末機を備える電子機器によれば、複数のディスプレイを活用してより簡単かつ容易に画面制御およびアクセスを行うことができる。
【００２５】
具体的には、複数のディスプレイに表示された画面を、それぞれ独立して制御することもでき、１つの拡張されたディスプレイとして用いることもできる。また、いずれか１つのディスプレイから他のディスプレイへ画面転送を行ったり、ミラーリング機能に基づいて同じアプリケーションの異なる実行デプスの確認および移行を同時に行うことができる。
【００２６】
さらに、電子機器の閉状態でもイベントを確認することができるだけでなく、開状態に移行すると直ちにイベントに対応する情報を取得することができる。それに、複数のディスプレイ部により形成される様々な開状態を検知し、ユーザに有用な動作モードを提供することにより、ユーザ利便性および使用性の向上を同時にもたらす。
【図面の簡単な説明】
【００２７】
【図１Ａ】本発明による電子機器を説明する概念図である。
【図１Ｂ】本発明による電子機器を説明する概念図である。
【図２Ａ】本発明による電子機器の主要構造を説明する概念図である。
【図２Ｂ】本発明による電子機器の主要構造を説明する概念図である。
【図２Ｃ】本発明による電子機器の主要構造を説明する概念図である。
【図２Ｄ】本発明による電子機器の主要構造を説明する概念図である。
【図３Ａ】本発明による移動端末機の一例を説明する概念図である。
【図３Ｂ】本発明による移動端末機の一例を説明する概念図である。
【図３Ｃ】本発明による移動端末機の一例を説明する概念図である。
【図４】本発明による電子機器における移動端末機とケースに備えられるディスプレイ部との間の制御方法を説明する概念図である。
【図５】本発明による電子機器におけるタッチ入力に基づいてケースに備えられるディスプレイ部をアクティブまたは非アクティブにする信号の流れとサブスタックの変化とを説明するフローチャートである。
【図６Ａ】図５のフローチャートの各過程（処理）を具体的に説明する図である。
【図６Ｂ】図５のフローチャートの各過程を具体的に説明する図である。
【図６Ｃ】図５のフローチャートの各過程を具体的に説明する図である。
【図６Ｄ】図５のフローチャートの各過程を具体的に説明する図である。
【図７Ａ】移動端末機とケースに備えられるディスプレイ部との間の画面制御の一例を示す図である。
【図７Ｂ】移動端末機とケースに備えられるディスプレイ部との間の画面制御の一例を示す図である。
【図７Ｃ】移動端末機とケースに備えられるディスプレイ部との間の画面制御の一例を示す図である。
【図８Ａ】移動端末機とケースに備えられるディスプレイ部との間の画面制御の一例を示す図である。
【図８Ｂ】移動端末機とケースに備えられるディスプレイ部との間の画面制御の一例を示す図である。
【図８Ｃ】移動端末機とケースに備えられるディスプレイ部との間の画面制御の一例を示す図である。
【図９Ａ】移動端末機とケースに備えられるディスプレイ部との間の画面制御の他の例を示す図である。
【図９Ｂ】移動端末機とケースに備えられるディスプレイ部との間の画面制御の他の例を示す図である。
【図１０Ａ】移動端末機とケースに備えられるディスプレイ部との間の画面制御の他の例を示す図である。
【図１０Ｂ】移動端末機とケースに備えられるディスプレイ部との間の画面制御の他の例を示す図である。
【図１１Ａ】移動端末機とケースに備えられるディスプレイ部との間の画面制御のさらに他の例を示す図である。
【図１１Ｂ】移動端末機とケースに備えられるディスプレイ部との間の画面制御のさらに他の例を示す図である。
【図１１Ｃ】移動端末機とケースに備えられるディスプレイ部との間の画面制御のさらに他の例を示す図である。
【図１１Ｄ】移動端末機とケースに備えられるディスプレイ部との間の画面制御のさらに他の例を示す図である。
【図１２Ａ】移動端末機とケースに備えられるディスプレイ部との間の画面制御のさらに他の例を示す図である。
【図１２Ｂ】移動端末機とケースに備えられるディスプレイ部との間の画面制御のさらに他の例を示す図である。
【図１２Ｃ】移動端末機とケースに備えられるディスプレイ部との間の画面制御のさらに他の例を示す図である。
【図１３Ａ】移動端末機とケースに備えられるディスプレイ部との間の画面制御のさらに他の例を示す図である。
【図１３Ｂ】移動端末機とケースに備えられるディスプレイ部との間の画面制御のさらに他の例を示す図である。
【図１３Ｃ】移動端末機とケースに備えられるディスプレイ部との間の画面制御のさらに他の例を示す図である。
【図１４Ａ】移動端末機とケースに備えられるディスプレイ部との間の画面制御のさらに他の例を示す図である。
【図１４Ｂ】移動端末機とケースに備えられるディスプレイ部との間の画面制御のさらに他の例を示す図である。
【図１４Ｃ】移動端末機とケースに備えられるディスプレイ部との間の画面制御のさらに他の例を示す図である。
【図１５Ａ】移動端末機とケースに備えられるディスプレイ部との間の画面制御のさらに他の例を示す図である。
【図１５Ｂ】移動端末機とケースに備えられるディスプレイ部との間の画面制御のさらに他の例を示す図である。
【図１５Ｃ】移動端末機とケースに備えられるディスプレイ部との間の画面制御のさらに他の例を示す図である。
【図１６Ａ】移動端末機とケースに備えられるディスプレイ部との間の画面制御のさらに他の例を示す図である。
【図１６Ｂ】移動端末機とケースに備えられるディスプレイ部との間の画面制御のさらに他の例を示す図である。
【図１６Ｃ】移動端末機とケースに備えられるディスプレイ部との間の画面制御のさらに他の例を示す図である。
【図１７Ａ】移動端末機とケースに備えられるディスプレイ部との間の画面制御のさらに他の例を示す図である。
【図１７Ｂ】移動端末機とケースに備えられるディスプレイ部との間の画面制御のさらに他の例を示す図である。
【図１８Ａ】移動端末機とケースに備えられるディスプレイ部との間の画面制御のさらに他の例を示す図である。
【図１８Ｂ】移動端末機とケースに備えられるディスプレイ部との間の画面制御のさらに他の例を示す図である。
【図１８Ｃ】移動端末機とケースに備えられるディスプレイ部との間の画面制御のさらに他の例を示す図である。
【図１８Ｄ】移動端末機とケースに備えられるディスプレイ部との間の画面制御のさらに他の例を示す図である。
【図１９Ａ】移動端末機とケースに備えられるディスプレイ部との間の画面制御のさらに他の例を示す図である。
【図１９Ｂ】移動端末機とケースに備えられるディスプレイ部との間の画面制御のさらに他の例を示す図である。
【発明を実施するための形態】
【００２８】
以下、添付図面を参照して本発明の実施形態について詳細に説明するが、図面番号に関係なく同一または類似の構成要素には同一の符号を付し、それについての重複する説明は省略する。以下で用いられる構成要素の接尾辞である「モジュール」および「部」は、明細書の作成を容易にするために付与または混用されるものであり、それ自体が有意性や有用性を有するものではない。また、本明細書に開示された実施形態について説明するにあたり、関連する公知技術についての具体的な説明が本明細書に開示された実施形態の要旨を不明にすると判断される場合は、その詳細な説明を省略する。
【００２９】
第１、第２などのように序数を含む用語は、様々な構成要素を説明するために用いられるが、上記構成要素は、上記用語により限定されるものではない。上記用語は、１つの構成要素を他の構成要素と区別する目的でのみ用いられる。
【００３０】
ある構成要素が他の構成要素に「連結」または「接続」されていると言及された場合は、他の構成要素に直接連結または接続されていてもよく、中間にさらに他の構成要素が存在してもよいものと解すべきである。それに対して、ある構成要素が他の構成要素に「直接連結」または「直接接続」されていると言及された場合は、中間にさらに他の構成要素が存在しないものと解すべきである。
【００３１】
単数の表現には、特に断らない限り複数の表現が含まれる。
【００３２】
本明細書において、「含む」や「有する」などの用語は、明細書に記載された特徴、数字、段階、動作、構成要素、部品またはそれらの組み合わせが存在することを指定しようとするもので、１つまたは複数の他の特徴、数字、段階、動作、構成要素、部品またはそれらの組み合わせの存在や付加可能性を予め排除するものではないと理解すべきである。
【００３３】
図１Ａおよび図１Ｂは、本発明による電子機器を説明する概念図である。
【００３４】
同図に示すように、移動端末機１００は、ケース２００に結合され、移動端末機１００とケース２００とが結合されて１つの電子機器３００を形成する。
【００３５】
ここで、上記移動端末機は、携帯電話、スマートフォン、ノートパソコン、デジタル放送端末、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブック（ULTRABOOK（登録商標））、ウェアラブルデバイス（例えば、スマートウォッチ（ウォッチ型端末）、スマートグラス（グラス型端末）およびヘッドマウントディスプレイ（Head Mounted Display; HMD））のいずれかであり得る。上記移動端末機の詳細については、図３を参照して後述する。
【００３６】
ケース２００は、移動端末機１００の外観を保護し、移動端末機１００のアクセサリとして移動端末機１００の少なくとも一面を覆うかまたは収容するパウチであってもよい。ケース２００は、移動端末機１００に結合され、移動端末機１００の機能を拡張するように構成されてもよい。
【００３７】
なお、本発明においては、移動端末機１００から出力される情報がケース２００の構造や機能に関連して処理されるようにしてもよい。例えば、図１Ａに示すように、ケース２００には、移動端末機１００のディスプレイ部（以下、「第１ディスプレイ部１５１」という）に連動するディスプレイ部（以下、「第２ディスプレイ部２５０」という）が備えられてもよい。
【００３８】
ケース２００は、互いに相対回転可能に連結（接続）される第１および第２本体２１０、２２０を備え、第２ディスプレイ部２５０は、第１および第２本体２１０、２２０のいずれか一方に配置されてもよい。
【００３９】
例えば、第１本体２１０は、移動端末機１００の端末機本体の少なくとも一部を収容するように形成されてもよい。移動端末機１００の後側が第１本体２１０に収容され、移動端末機１００の前側に配置される第１ディスプレイ部１５１が外部に露出する。
【００４０】
また、第１本体２１０の一側には、移動端末機１００が結合されると移動端末機１００の構成部品の少なくとも一部がケース２００の外部に露出して機能を実行できるように、１つまたは複数の孔が備えられてもよい。
【００４１】
この場合、移動端末機１００は、第１本体２１０に着脱可能に結合されるようにしてもよい。また、移動端末機１００は、第１本体２１０に結合されたか否かを検知するように構成されてもよい。上記検知のために、第１本体２１０には、移動端末機１００に対向する一面にマグネット２４５が備えられ、移動端末機１００の後側には、移動端末機１００の端末機本体が第１本体２１０に結合されるとマグネット２４５に対応する磁場を検知するように構成されるホールセンサ１４３が備えられるようにしてもよい。移動端末機１００は、ホールセンサ１４３により上記磁場が検知されると、ケース２００に結合されたことを検出し、予め設定された制御を行うようにしてもよい。
【００４２】
例えば、移動端末機１００の制御部１８０は、ホールセンサ１４３により上記磁場が検知されると、第２本体２２０に備えられる第２ディスプレイ部２５０に動作電流を供給するかまたは信号を送信することのできる状態への「準備過程」を行うようにしてもよい。すなわち、上記予め設定された制御とは、上記準備過程に関する動作を意味する。
【００４３】
ここで、上記「準備過程」とは、第２ディスプレイ部２５０に動作電流が供給されると直ちに移動端末機１００の制御部１８０が次の過程を行うことのできる待機状態を意味する。よって、ホールセンサ１４３により上記磁場が検知されると直ちに第２ディスプレイ部２５０に電流が供給されるわけではない。
【００４４】
一方、移動端末機１００の制御部１８０は、第１本体２１０の一側、例えば第１本体２１０の下端に備えられるコネクタと、第１本体２１０に収容された移動端末機１００の下端に備えられる接続ポートと、の結合が検知されると、第２本体２２０に備えられる第２ディスプレイ部２５０に動作電流を供給するように制御してもよい。
【００４５】
具体的には、上記コネクタに接続されるフレキシブルプリント基板（ＦＰＣ）に接続され、ケース２００の連結部２３０に備えられる配線部、例えば同軸ケーブルを介して、移動端末機１００のバッテリから第２ディスプレイ部２５０側のプリント基板に動作電流が供給される。
【００４６】
このために、移動端末機１００の制御部１８０は、第１本体２１０に備えられるコネクタの特定のコンタクトピンを介して第１本体２１０に備えられる抵抗Ｒａ、Ｒｄを検出し、上記コネクタと上記接続ポートとの結合を検知し、それによって動作電流を供給するようにしてもよい。これについては、以下でより具体的に説明する。
【００４７】
第２本体２２０に備えられる第２ディスプレイ部２５０は、移動端末機１００から供給される電源に基づいて動作するように構成されてもよい。
【００４８】
第２ディスプレイ部２５０は、第２本体２２０に配置され、第１ディスプレイ部１５１の表示領域を拡張する機能を実行するか、または第１ディスプレイ部１５１とは独立して駆動されるようにしてもよい。例えば、第１ディスプレイ部１５１に出力される情報に関する内容がミラーリングされて第２ディスプレイ部２５０に出力されるようにしてもよい。
【００４９】
また、第１および第２ディスプレイ部１５１、２５０に異なるアプリケーションの実行画面が出力されるようにしてもよい。さらに、第１および第２ディスプレイ部１５１、２５０に１つのアプリケーションの実行画面が分割されて出力されるようにしてもよい。さらに、第１および第２ディスプレイ部１５１、２５０に１つのアプリケーションの異なる実行ステップまたは異なるタスクに対応する画面が出力されるようにしてもよい。
【００５０】
その上、移動端末機１００は、第２ディスプレイ部２５０に出力される画面情報を制御するように構成され、このために、移動端末機１００と第２ディスプレイ部２５０との間には、有線通信のための通信リンク、例えばＵＳＢ（Universal Serial Bus）２．０通信リンクが設定されるようにしてもよい。
【００５１】
一方、第１および第２ディスプレイ部１５１、２５０は、開状態で共に外部に露出する。上記開状態については、図１Ｂを参照して定義する。
【００５２】
図１Ｂに示すように、ケース２００の第１および第２本体２１０、２２０は、図１Ｂの（ａ）の閉状態と図１Ｂの（ｃ）のフリップ状態との間で相対回転可能である。
【００５３】
上記閉状態は、図１Ｂの（ａ）の状態であって、ケース２００の第２本体２２０により移動端末機１００の第１ディスプレイ部１５１が覆われている状態であり、第２本体２２０により第１ディスプレイ部１５１が遮蔽される。すなわち、第２ディスプレイ部２５０により第１ディスプレイ部１５１が覆われている状態が上記閉状態である。上記閉状態では、移動端末機１００とケース２００とが移動端末機１００の厚さ方向に重なり、手帳のような形状となるので、ユーザの携帯性が向上する。
【００５４】
上記閉状態では、第１本体２１０に収容された移動端末機１００の端末機本体が外部に露出しないようにしてもよい。また、上記閉状態では、第２ディスプレイ部２５０が備えられる第２本体２２０の前面の一側に、移動端末機１００で発生した特定のイベントに対応する通知情報を表示するためのサブディスプレイ部２５０ａが露出するようにしてもよい。
【００５５】
上記閉状態で、第２本体２２０が第１本体２１０に対して回動すると、開状態に移行する。
【００５６】
上記開状態は、第２ディスプレイ部２５０により第１ディスプレイ部１５１が遮蔽されていない状態であって、第１および第２ディスプレイ部１５１、２５０がなす角度が０度ではない特定の角度である状態である。
【００５７】
具体的には、上記開状態は、図１Ｂの（ｂ）に示すように、第１および第２ディスプレイ部１５１、２５０が約６０度（ａ）をなす「第１状態」と、第１および第２ディスプレイ部１５１、２５０が約１２０度（ｂ）をなす「第２状態」と、第１および第２ディスプレイ部１５１、２５０が１８０度（ｃ）をなす「第３状態」と、第１および第２ディスプレイ部１５１、２５０が１８０度（ｃ）を超えて約２７０度（ｄ）をなす「第４状態」のいずれかであり得る。
【００５８】
上記開状態においては、上記第１〜第４状態のいずれかの状態となるように、第１および第２本体２１０、２２０が特定の角度で固定される。第１および第２本体２１０、２２０を特定の角度で固定するための固定手段は、ケース２００に備えられてもよい。
【００５９】
移動端末機１００の制御部１８０は、上記第１〜第４状態で異なる動作モードを実行するように制御してもよい。
【００６０】
例えば、上記第１状態では「プライベートモード」で動作し、上記第２状態では「ノートブックモード」で動作するようにしてもよい。また、上記第３状態では「拡張表示モード」で動作し、上記第４状態では「マルチ表示モード」で動作するようにしてもよい。
【００６１】
第１および第２ディスプレイ部１５１、２５０が外部に露出した状態は、上記「開状態」と定義される。上記「開状態」では、第１ディスプレイ部１５１が第２ディスプレイ部２５０により遮蔽されていない。よって、第１ディスプレイ部１５１が第２ディスプレイ部２５０により遮蔽されている状態は、上記「閉状態」と定義される。上記開状態と上記閉状態との区分は、例えば、第１ディスプレイ部１５１の前面に備えられる照度センサの検知値に基づいて行われるようにしてもよい。
【００６２】
一方、図１Ｂの（ｃ）に示すように、第１および第２ディスプレイ部１５１、２５０が３６０度相対回転して、第２ディスプレイ部２５０が配置された第２本体２２０の背面により第１ディスプレイ部１５１が配置された第１本体２１０の背面が完全に覆われている状態は、上記開状態のうちの「フリップ状態」として定義される。「フリップ状態」では、第１および第２ディスプレイ部１５１、２５０が互いに逆方向に露出する。
【００６３】
上記フリップ状態の検知は、第１本体２１０に結合された移動端末機１００の背面に備えられた構成要素、例えば背面カメラ１２１ｂ、光出力部１５４、フラッシュ１２４およびユーザ入力部（１２３ａ）が第２本体２２０の背面により遮蔽されている状態を検出することにより行われるようにしてもよい。
【００６４】
また、上記第１〜第４状態および上記フリップ状態の検知は、第１および第２本体２１０、２２０を相対回転可能に結合する連結部２３０に備えられる別途のセンサ、または第１および第２本体２１０、２２０の背面に備えられる別途のセンサにより行われるようにしてもよい。
【００６５】
本発明による電子機器３００は、上記開状態および上記閉状態と連動して第１および第２ディスプレイ部１５１、２５０を制御する動作を行うようにしてもよい。例えば、上記閉状態では、第１および第２ディスプレイ部１５１、２５０が非アクティブ状態で駆動され、上記閉状態から上記開状態に移行すると、第１および第２ディスプレイ部１５１、２５０の少なくとも一方がアクティブになるようにしてもよい。
【００６６】
一例として、上記開状態に移行すると、第１および第２ディスプレイ部１５１、２５０がどちらもアクティブ状態に移行するようにしてもよい。ここで、第１および第２ディスプレイ部１５１、２５０には、異なるホームスクリーンページがそれぞれ出力されるようにしてもよく、同じホームスクリーンページが第１および第２ディスプレイ部１５１、２５０にわたって表示されるようにしてもよい。その他にも、第１および第２ディスプレイ部１５１、２５０には、状況に応じて様々な情報を出力することができる。
【００６７】
他の例として、上記開状態に移行すると、第１ディスプレイ部１５１はアクティブ状態に移行し、第２ディスプレイ部２５０は非アクティブ状態を維持するようにしてもよい。
【００６８】
第２ディスプレイ部２５０は、第２ディスプレイ部２５０に対するタッチを検知するように構成されるタッチセンサを含んでもよい。また、第２ディスプレイ部２５０は、上記非アクティブ状態でもタッチを検知するように構成されてもよい。
【００６９】
上記タッチセンサのタッチ検知に関連して、第２ディスプレイ部２５０は、上記開状態で第２ディスプレイ部２５０に対して行われるタッチが予め設定された方式のタッチである場合、アクティブ状態で駆動されるようにしてもよい。あるいは、第２ディスプレイ部２５０は、上記開状態で第１ディスプレイ部１５１に対して行われるタッチに基づいて、アクティブ状態で駆動されるようにしてもよい。
【００７０】
一方、第２ディスプレイ部２５０がタッチされると、第２ディスプレイ部２５０は、上記タッチに対応するタッチ信号を移動端末機１００に送信するようにしてもよい。また、移動端末機１００は、受信したタッチ信号に対応するタッチが予め設定された方式のタッチである場合、第２ディスプレイ部２５０をアクティブにする制御命令に対応する信号を、第２ディスプレイ部２５０に送信するようにしてもよい。
【００７１】
すると、第２ディスプレイ部２５０は、移動端末機１００から受信した信号に基づいてアクティブになるようにしてもよい。
【００７２】
このような信号の送受信は、第１本体２１０の一側に備えられるコネクタと移動端末機１００に備えられる接続ポートとの結合による有線通信方式で行われるようにしてもよい。
【００７３】
以下、前述した電子機器の動作を実現するためのケースの構造についてより具体的に説明する。
【００７４】
図２Ａに示すように、ケース２００の第１本体２１０は、上記移動端末機の端末機本体の背面が収納されるように形成される収容空間２１１を備える。第１本体２１０は、収容空間２１１により上記移動端末機の少なくとも一部を収容し、収容空間２１１の底面に上記移動端末機の背面が配置される。
【００７５】
第２ディスプレイ部２５０が配置される第２本体２２０は、連結部２３０により第１本体２１０に回転可能に結合される。すなわち、連結部２３０は、第１および第２本体２１０、２２０間に配置されて第１および第２本体２１０、２２０を相対回転可能に結合する。
【００７６】
第２本体２２０の前側には、所定の情報、例えば時間情報やイベント通知などを表示するためのサブディスプレイ部２５０ａが備えられてもよい。この場合、電子機器３００を開状態に移行させることなく、閉状態でサブディスプレイ部２５０ａにより簡単なイベント通知をすぐに確認することができる。
【００７７】
図２Ａ〜図２Ｄに示すように、第２本体２２０は、第１カバー２２１、第２カバー２２２および第２ディスプレイ部２５０を備えてもよい。第１カバー２２１には、連結部２３０の少なくとも一部が収容される収容溝２２１ａが形成されてもよい。また、第２カバー２２２は、各種電子部品が装着されるフレームであり、第１カバー２２１に結合されてもよい。例えば、第２カバー２２２には、後述する第２ディスプレイ部２５０側のプリント基板２４８が装着されてもよい。
【００７８】
第２カバー２２２は、連結部２３０に回転可能に結合されてもよい。第２カバー２２２は、第１カバー２２１の収容溝２２１ａに対応する位置に溝２２２ａが形成され、溝２２２ａに連結部２３０が配置されてもよい。この場合、第２ディスプレイ部２５０は第２カバー２２２に装着される。
【００７９】
また、連結部２３０の内側には、配線部２４２、例えば同軸ケーブルが備えられ、第１本体２１０の後側に備えられるフレキシブルプリント基板２４７に接続され、上記移動端末機の制御部から送信される信号が第２ディスプレイ部２５０に伝達される。
【００８０】
以下、第１本体２１０の後側に備えられて連結部２３０の配線部２４２に結合されるフレキシブルプリント基板を「第１フレキシブルプリント基板」２４７という。また、第２本体２２０の後側に備えられて連結部２３０の配線部２４２に結合されるフレキシブルプリント基板を「第２フレキシブルプリント基板」２４８という。
【００８１】
連結部２３０は、第１本体２１０の側面に沿って離隔して配置される第１および第２ヒンジ２３１、２３２を備えてもよい。第１および第２ヒンジ２３１、２３２は、それぞれヒンジ本体２３３とヒンジ軸２３４とを備えてもよい。
【００８２】
ヒンジ本体２３３にヒンジ孔（図示せず）が形成され、上記ヒンジ孔にヒンジ軸２３４が挿入され、第１および第２本体２１０、２２０が相対回転できるようにする。ヒンジ軸２３４は、複数備えられ、ヒンジ軸２３４の一側には、第１および第２本体２１０、２２０にそれぞれ結合される結合部２３５が配置されてもよい。
【００８３】
また、連結部２３０の内側には、第１および第２フレキシブルプリント基板２４７、２４８に結合される配線部２４２、例えば同軸ケーブルが備えられる。
【００８４】
第１本体２１０の一側には、上記移動端末機が収容される収容空間２１１に向かって突設され、上記移動端末機の端末機本体の一側に備えられる接続ポートに挿入されるコネクタ２４３が配置されてもよい。このために、第１本体２１０の一側、例えば下端側面には、コネクタ２４３を含むコネクタモジュールの少なくとも一部を貫設するための１つまたは複数のホールＨが形成されてもよい。
【００８５】
図示していないが、コネクタ２４３は、ケース２００の外部に向かって１８０度相対回転させることができるように形成してもよく、外力によりケース２００の外部に向かって引き出したり引き込むことができるように形成してもよい。この場合、コネクタ２４３があっても、第１本体２１０に上記移動端末機の端末機本体を容易に収容することができる。
【００８６】
他の例として、第１本体２１０に上記移動端末機の端末機本体を容易に収容できるように、第１本体２１０を上下方向に分離可能に形成してもよく、第１本体２１０の少なくとも上部をフレキシブル材質にしてもよい。
【００８７】
第１本体２１０の一側、例えば下端中央には、コネクタ２４３が設置されたコネクタモジュールが装着されてもよい。上記コネクタモジュールの一端には、コネクタ２４３が設置され、上記コネクタモジュールの他端には、外部の雄ピンに結合されるように形成されるポゴピンである雌ピンを備える充電用ポートが設置されてもよい。
【００８８】
コネクタ２４３は、第１および第２フレキシブルプリント基板２４７、２４８と配線部２４２とを介して、第２ディスプレイ部２５０の制御のためのプリント基板２４４に接続されてもよい。また、コネクタ２４３は、上記移動端末機の端末機本体の接続ポートとの結合によりプリント基板２４４に接続されてもよい。ここで、上記移動端末機の端末機本体に備えられる接続ポートは、例えばＵＳＢポートであり得る。
【００８９】
第２ディスプレイ部２５０は、コネクタ２４３に結合された第１および第２フレキシブルプリント基板２４７、２４８、配線部２４２、ならびにプリント基板２４４を介して、移動端末機１００と有線通信を行う。また、移動端末機１００は、コネクタ２４３に接続された接続ポートを介して、第２ディスプレイ部２５０と有線通信を行う。この観点で、移動端末機１００の接続ポートを「第１有線通信部」ともいい、ケース２００のコネクタ２４３を「第２有線通信部」ともいう。
【００９０】
第１有線通信部１６１と第２有線通信部２４３とは、ＵＳＢ通信を行うようにしてもよい。第１有線通信部１６１（図４参照）は、ＵＳＢ Ｉ／Ｏ通信を行うことにより、第２有線通信部２４３（図４参照）を介してケース２００に信号を送信するようにしてもよい。また、第２有線通信部２４３は、ＵＳＢ Ｉ／Ｏ通信を行うことにより、第１有線通信部１６１を介して上記移動端末機に信号を送信するようにしてもよい。ここで、上記ＵＳＢ Ｉ／Ｏ通信は、ＵＳＢ２．０通信またはＵＳＢ３．０通信であり得る。
【００９１】
ＵＳＢは、共通のコネクタであって、様々な周辺機器を接続できるようにするインタフェース規格として定義される。ＵＳＢにおいては、必ずホスト（host）が存在し、ホストを媒介として制御することにより、通信を行う。
【００９２】
図２Ｂに示すように、ケース２００の第１本体２１０の下端に備えられて上記移動端末機の接続ポートに接続されるコネクタ２４３は、上記コネクタモジュールに装着されるようにしてもよい。コネクタ２４３の一端は、上記コネクタモジュールの支持手段に接合され、コネクタ２４３の他端は、突出部２４３ｃを形成するようにしてもよい。コネクタ２４３は、突出部２４３ｃが上記移動端末機の外側から内側に挿入されることにより、上記移動端末機の接続ポートに接続される。
【００９３】
コネクタ２４３の内側には、複数のコンタクトピン（例えば、雄ピン）が備えられ、上記備えられた複数のコンタクトピンのそれぞれは、上記移動端末機の接続ポートのピン（例えば、雌ピン）に接続されると特定の機能を実行するように設定されてもよい。これについては、以下でより具体的に説明する。
【００９４】
一方、図２Ａに示すように、第１本体２１０には、コネクタ２４３に接続される第１フレキシブルプリント基板２４７が備えられる。第１フレキシブルプリント基板２４７は、連結部２３０の内側の配線部２４２、例えば同軸ケーブルを介して、第２ディスプレイ部２５０側の第２フレキシブルプリント基板２４８およびプリント基板２４４に接続されてもよい。
【００９５】
このように、第１本体２１０には、第１フレキシブルプリント基板２４７の他に無線通信などのための別途のプリント基板がないので、第１本体２１０の厚さを薄くすることができ、上記移動端末機も無線通信のための別途のプリント基板を備える必要がない。よって、ケースに装着できる移動端末機の互換性がより向上し、電子機器全体の厚さをより薄くすることができる。
【００９６】
図示のように、第１および第２本体２１０、２２０は、第１および第２フレキシブルプリント基板２４７、２４８に結合される配線部２４２を介してプリント基板２４４に結合され、電気的に接続される。プリント基板２４４は、第２ディスプレイ部２５０に接続され、第２ディスプレイ部２５０に移動端末機１００から受信する信号を伝達する機能を実行するようにしてもよい。
【００９７】
すなわち、プリント基板２４４は、上記移動端末機から第１有線通信部１６１および第２有線通信部２４３を介して送受信されるデータを第２ディスプレイ部２５０に伝達するようにしてもよい。
【００９８】
配線部２４２は、連結部２３０を介して第１および第２本体２１０、２２０を電気的に接続する。その接続のために、連結部２３０には、配線部２４２が通る連結通路（通信路、パス）が形成されてもよい。
【００９９】
その例として、第１および第２ヒンジ２３１、２３２には、配線部２４２の少なくとも一部を収容する収容部が形成される。例えば、第２有線通信部２４３に結合される第１フレキシブルプリント基板２４７に接続される配線部２４２が第２ヒンジ２３２に収容されるようにしてもよい。また、第１および第２ヒンジ２３１、２３２は、相互対称構造／形状に形成されてもよい。
【０１００】
第１有線通信部１６１は、移動端末機１００の下側に配置され、第２有線通信部２４３は、ケース２００の下側に配置されてもよい。この場合、配線部２４２に接続される第１フレキシブルプリント基板２４７は、上記下側から第１および第２ヒンジ２３１、２３２のいずれか一方に接続されるように形成されてもよい。
【０１０１】
また、第２ヒンジ２３２は、ヒンジ本体２３３から延びる延長部２３６を備え、延長部２３６には、第１本体２１０と第２本体２２０とに向かってそれぞれ延びるケーブル２４６が備えられてもよい。延長部２３６に上記収容部が形成され、上記収容部にケーブル２４６が収容される構造である。ケーブル２４６の端部には、それぞれ第１および第２フレキシブルプリント基板２４７、２４８が配置され、第１および第２フレキシブルプリント基板２４７、２４８は、それぞれコネクタ２４３およびプリント基板２４４に電気的に接続される。上記構造によれば、第２ディスプレイ部２５０を制御する信号は、上記移動端末機から第１有線通信部１６１および第２有線通信部２４３を介して第１および第２本体２１０、２２０に送信される。
【０１０２】
一方、同図に示すように、ケース２００の第１本体２１０の下端には、第２ディスプレイ部２５０およびプリント基板２４４に上記移動端末機から電源を供給できるように、上記移動端末機の接続ポートに接続されるコネクタ２４３が配置されてもよい。コネクタ２４３は、上記移動端末機の電源を第１フレキシブルプリント基板２４７、配線部２４２および第２フレキシブルプリント基板２４８を介してプリント基板２４４に供給し、プリント基板２４４は、上記電源を第２ディスプレイ部２５０に供給する。
【０１０３】
上記構造によれば、第２ディスプレイ部２５０に供給される電源および第２ディスプレイ部２５０に伝達される信号は、上記移動端末機から有線経路で供給および伝達される。
【０１０４】
上記構造によれば、上記電子機器は、有線通信および有線電源供給経路を用いて第１および第２ディスプレイ部１５１、２５０を互いに連動させて制御動作を行う。以下、移動端末機の構造および機能について詳細に説明し、次に上記制御動作について説明する。
【０１０５】
図３Ａ、図３Ｂおよび図３Ｃは、本発明による移動端末機の一例を説明する概念図である。本発明による移動端末機１００は、前述した電子機器のケースに結合することができる。
【０１０６】
図３Ａは、本発明による移動端末機を示すブロック図であり、図３Ｂおよび図３Ｃは、本発明による移動端末機の一例を異なる方向から見た概念図である。
【０１０７】
同図に示すように、移動端末機１００は、無線通信部１１０、入力部１２０、検知部１４０、出力部１５０、インタフェース部１６０、メモリ１７０、制御部１８０、電源供給部１９０などを含む。図３Ａに示す全ての構成要素が必須構成要素であるわけではなく、本発明による移動端末機は、図示の構成要素よりも多い構成要素で実現されてもよく、それより少ない構成要素で実現されてもよい。
【０１０８】
より具体的には、無線通信部１１０は、移動端末機１００と無線通信システムとの間、移動端末機１００と他の移動端末機との間、または移動端末機１００と外部サーバとの間の無線通信を可能にする少なくとも１つのモジュールを含む。また、無線通信部１１０は、移動端末機１００を少なくとも１つのネットワークに接続する少なくとも１つのモジュールを含む。
【０１０９】
無線通信部１１０は、放送受信モジュール１１１、移動通信モジュール１１２、無線インターネットモジュール１１３、近距離通信モジュール１１４および位置情報モジュール１１５の少なくとも１つを含む。
【０１１０】
入力部１２０は、画像信号の入力のためのカメラ１２１または画像入力部、オーディオ信号の入力のためのマイク１２２またはオーディオ入力部、ユーザからの情報の入力のためのユーザ入力部１２３（例えば、タッチキー、プッシュキー（メカニカルキー）など）を含んでもよい。入力部１２０により得られた画像データやオーディオデータは、分析されてユーザの制御命令で処理される。
【０１１１】
検知部１４０は、移動端末機１００内の情報、移動端末機１００を囲む周辺環境に関する情報およびユーザ情報の少なくとも１つを検知するための少なくとも１つのセンサを含む。例えば、検知部１４０は、近接センサ１４１、照度センサ１４２、タッチセンサ、加速度センサ、磁気センサ、重力センサ、ジャイロセンサ、モーションセンサ、ＲＧＢセンサ、赤外線センサ（ＩＲセンサ）、指紋センサ、超音波センサ、光センサ、カメラ１２１、マイク１２２、バッテリゲージ、環境センサ（例えば、気圧計、湿度計、温度計、放射能センサ、熱センサ、ガスセンサなど）、化学センサ（例えば、電子鼻、ヘルスケアセンサ、生体センサなど）の少なくとも１つを含む。また、本発明による移動端末機は、これらのセンサの少なくとも２つのセンサにより検知された情報を組み合わせて活用することができる。
【０１１２】
出力部１５０は、視覚、聴覚または触覚などに関連する出力を発生するように構成される。例えば、出力部１５０は、ディスプレイ部１５１、音響出力部１５２、ハプティックモジュール１５３、光出力部１５４の少なくとも１つを含む。ディスプレイ部１５１は、タッチセンサとレイヤ構造をなすかまたは一体に形成されることにより、タッチスクリーンを実現する。上記タッチスクリーンは、移動端末機１００とユーザとの間の入力インタフェースを提供するユーザ入力部１２３として機能すると共に、移動端末機１００とユーザとの間の出力インタフェースを提供する。
【０１１３】
インタフェース部１６０は、移動端末機１００に接続される各種外部機器との通路の役割を果たす。例えば、インタフェース部１６０は、有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。移動端末機１００においては、インタフェース部１６０への外部機器の接続に対応して、接続された外部機器に関する制御を行うことができる。
【０１１４】
メモリ１７０は、移動端末機１００の様々な機能をサポートするデータを記憶（保存）する。メモリ１７０は、移動端末機１００で起動される複数のアプリケーションプログラム（またはアプリケーション）、移動端末機１００の動作のためのデータやコマンドを記憶する。上記アプリケーションプログラムの少なくとも一部は、無線通信により外部サーバからダウンロードすることができる。また、上記アプリケーションプログラムの少なくとも一部は、移動端末機１００の基本機能（例えば、電話着発信機能、メッセージ送受信機能）のために工場出荷時に移動端末機１００にインストールされている。さらに、上記アプリケーションプログラムは、メモリ１７０に記憶され、移動端末機１００にインストールされ、制御部１８０により移動端末機１００の動作（または機能）のために起動されるようにすることができる。
【０１１５】
制御部１８０は、上記アプリケーションプログラムに関する動作に加え、通常の移動端末機１００の全般的な動作を制御する。制御部１８０は、前述した構成要素により入力または出力される信号、データ、情報などを処理したり、メモリ１７０に記憶されたアプリケーションプログラムを起動することにより、ユーザに適切な情報または機能を提供または処理することができる。
【０１１６】
また、制御部１８０は、メモリ１７０に記憶されたアプリケーションプログラムの起動のために、図３Ａに示す移動端末機１００の構成要素の少なくとも一部を制御することができる。さらに、制御部１８０は、上記アプリケーションプログラムの起動のために、移動端末機１００の構成要素の少なくとも２つを組み合わせて動作させることができる。
【０１１７】
電源供給部１９０は、制御部１８０の制御下で、供給された外部の電源または内部の電源を移動端末機１００の各構成要素に供給する。電源供給部１９０は、バッテリを含んでもよい。上記バッテリは、内蔵バッテリまたは交換可能なバッテリであってもよい。
【０１１８】
上記構成要素の少なくとも一部は、後述する様々な実施形態による移動端末機の動作、制御または制御方法を実現するために互いに連携して動作することもある。また、上記移動端末機の動作、制御または制御方法は、上記移動端末機のメモリに記憶された少なくとも１つのアプリケーションプログラムの起動により実現されることもある。
【０１１９】
以下、前述した移動端末機１００により実現される様々な実施形態を説明する前に、図３Ａを参照して、前述した移動端末機１００の構成要素についてより具体的に説明する。
【０１２０】
無線通信部１１０の放送受信モジュール１１１は、放送チャネルを介して、外部の放送管理サーバから放送信号および／または放送関連情報を受信する。上記放送チャネルは、衛星チャネルおよび地上波チャネルを含む。少なくとも２つの放送チャネルの同時放送受信または放送チャネルの切替え（スイッチング）のために、放送受信モジュール１１１は、移動端末機１００に２つ以上備えられてもよい。
【０１２１】
無線通信部１１０の移動通信モジュール１１２は、移動通信のための技術標準または通信方式（例えば、ＧＳＭ（Global System for Mobile communication）、ＣＤＭＡ（Code Division Multi Access）、ＣＤＭＡ２０００（Code Division Multi Access 2000）、ＥＶ−ＤＯ（Enhanced Voice-Data Optimized or Enhanced Voice-Data Only）、ＷＣＤＭＡ（登録商標）（Wideband CDMA）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）など）により構築された移動通信網上で基地局、外部の端末、サーバの少なくとも１つと無線信号を送受信する。
【０１２２】
上記無線信号は、音声呼信号、テレビ電話呼信号、またはＳＭＳ／ＭＭＳメッセージの送受信による様々な形態のデータを含む。
【０１２３】
無線通信部１１０の無線インターネットモジュール１１３は、無線インターネットの接続のためのモジュールであり、移動端末機１００に内蔵されるかまたは外付けされる。無線インターネットモジュール１１３は、無線インターネット技術による通信網で無線信号を送受信するように構成される。
【０１２４】
無線インターネット技術としては、例えばＷＬＡＮ（Wireless LAN）、Ｗｉ−Ｆｉ（Wireless Fidelity）、Ｗｉ−Ｆｉダイレクト（Wireless Fidelity Direct）、ＤＬＮＡ（登録商標）（Digital Living Network Alliance）、Ｗｉｂｒｏ（Wireless Broadband）、ＷｉＭＡＸ（Worldwide Interoperability for Microwave Access）、ＨＳＤＰＡ、ＨＳＵＰＡ、ＬＴＥ、ＬＴＥ−Ａなどがあり、無線インターネットモジュール１１３は、列挙していない無線インターネット技術をも含む範囲で少なくとも１つの無線インターネット技術によりデータを送受信する。
【０１２５】
Ｗｉｂｒｏ、ＨＳＤＰＡ、ＨＳＵＰＡ、ＧＳＭ、ＣＤＭＡ、ＷＣＤＭＡ（登録商標）、ＬＴＥ、ＬＴＥ−Ａなどによる無線インターネット接続が移動通信網を介して行われるという観点から、上記移動通信網を介して無線インターネット接続を行う無線インターネットモジュール１１３は、移動通信モジュール１１２の一種として理解してもよい。
【０１２６】
無線通信部１１０の近距離通信モジュール１１４は、近距離通信のためのモジュールであり、ブルートゥース（登録商標）（BLUETOOTH（登録商標））、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離通信モジュール１１４は、近距離無線通信網（近距離無線エリアネットワーク）を介して、移動端末機１００と無線通信システムとの間、移動端末機１００と他の移動端末機との間、または移動端末機１００と外部サーバとの間の無線通信をサポートする。上記近距離無線通信網（近距離無線エリアネットワーク）は、近距離ワイヤレスパーソナルエリアネットワーク（Wireless Personal Area Network）であってもよい。
【０１２７】
上記他の移動端末機は、本発明による移動端末機１００とデータ交換が可能な（または連動可能な）ウェアラブルデバイス（例えば、スマートウォッチ、スマートグラス、ヘッドマウントディスプレイ）などを含む。近距離通信モジュール１１４は、移動端末機１００の周辺に位置する、移動端末機１００と通信可能なウェアラブルデバイスを検知（または認識）することができる。さらに、制御部１８０は、上記検知されたウェアラブルデバイスが移動端末機１００との通信を認証されたデバイスの場合、移動端末機１００で処理されるデータの少なくとも一部を、近距離通信モジュール１１４を介して上記ウェアラブルデバイスに送信することができる。よって、上記ウェアラブルデバイスのユーザは、移動端末機１００で処理されるデータを、上記ウェアラブルデバイスで用いることができる。例えば、ユーザは、移動端末機１００に電話がかかってきた場合に上記ウェアラブルデバイスで通話を行ったり、移動端末機１００でメールが受信された場合に上記ウェアラブルデバイスで上記受信されたメールを確認したりすることができる。
【０１２８】
無線通信部１１０の位置情報モジュール１１５は、移動端末機１００の位置（または現在の位置）を取得するためのモジュールであり、代表的な例としては、ＧＰＳ（Global Position System）モジュールおよびＷｉ−Ｆｉモジュールがある。一例として、移動端末機１００は、ＧＰＳモジュールを用いた場合、ＧＰＳ衛星から送られる信号を用いて、移動端末機１００の位置を取得することができる。他の例として、移動端末機１００は、Ｗｉ−Ｆｉモジュールを用いた場合、当該Ｗｉ−Ｆｉモジュールと無線信号を送信または受信する無線ＡＰ（Wireless Access Point）の情報に基づいて、移動端末機１００の位置を取得することができる。必要に応じて、位置情報モジュール１１５は、置換的または付加的に、移動端末機１００の位置に関するデータを得るために、無線通信部１１０の他のモジュールのいずれかの機能を実行することができる。位置情報モジュール１１５は、移動端末機１００の位置（または現在の位置）を取得するために用いられるモジュールであり、移動端末機１００の位置を直接計算または取得するモジュールに限定されるものではない。
【０１２９】
入力部１２０は、画像情報（もしくは信号）、オーディオ情報（もしくは信号）、またはユーザからの情報の入力のためのものであり、画像情報の入力のために１つまたは複数のカメラ１２１を備える。入力部１２０のカメラ１２１は、テレビ電話モードまたは撮影モードでイメージセンサにより得られる静止画像または動画像などの画像フレームを処理する。カメラ１２１で処理された画像フレームは、ディスプレイ部１５１に表示されたり、メモリ１７０に記憶されることができる。移動端末機１００に備えられる複数のカメラ１２１は、マトリクス構造に配置されてもよく、この場合、マトリクス構造に配置された複数のカメラ１２１により、移動端末機１００に様々な角度または焦点の複数の画像情報を入力することができる。また、複数のカメラ１２１は、立体画像を実現するための左画像および右画像を取得できるように、ステレオ構造に配置されてもよい。
【０１３０】
入力部１２０のマイク１２２は、外部の音響信号を電気的な音声データに処理する。マイク１２２で処理された音声データは、移動端末機１００で実行中の機能（またはアプリケーションプログラム）によって多様に用いることができる。マイク１２２には、外部の音響信号が入力される過程で発生するノイズを除去するための様々なノイズ除去アルゴリズムが実現される。
【０１３１】
入力部１２０のユーザ入力部１２３は、ユーザからの情報の入力のためのものであり、ユーザ入力部１２３により情報が入力されると、制御部１８０は、入力された情報に対応して移動端末機１００の動作を制御することができる。ユーザ入力部１２３は、機械式入力手段（またはメカニカルキー、例えば、移動端末機１００の前面、背面または側面に位置するボタン、ドームスイッチ、ジョグホイール、ジョグスイッチなど）およびタッチ式入力手段を含んでもよい。上記タッチ式入力手段は、例えば、ソフトウェア的な処理によりタッチスクリーンに表示される仮想キー、ソフトキーまたはビジュアルキーからなるようにしてもよく、上記タッチスクリーン以外の部分に配置されるタッチキーからなるようにしてもよい。また、上記仮想キーまたは上記ビジュアルキーは、様々な形態で上記タッチスクリーン上に表示されるようにしてもよく、例えばグラフィック、テキスト、アイコン、ビデオまたはそれらの組み合わせからなる。
【０１３２】
検知部１４０は、移動端末機１００内の情報、移動端末機１００を囲む周辺環境に関する情報およびユーザ情報の少なくとも１つを検知し、それに対応する検知信号を発生する。制御部１８０は、上記検知信号に基づいて、移動端末機１００の駆動または動作を制御したり、移動端末機１００にインストールされたアプリケーションプログラムに関するデータ処理、機能または動作を実行することができる。検知部１４０に含まれる様々なセンサのうちの代表的なセンサについて、より具体的に説明すると次の通りである。
【０１３３】
まず、近接センサ１４１とは、電磁界の力または赤外線などを利用して、所定の検出面に近づく物体または近傍に存在する物体の有無を機械的な接触なしで検出できるセンサをいう。近接センサ１４１は、上記タッチスクリーンにより覆われる移動端末機１００の内部領域または上記タッチスクリーンの近くに配置されてもよい。
【０１３４】
近接センサ１４１としては、例えば透過型光電センサ、拡散反射型光電センサ、回帰反射型光電センサ、高周波発振型近接センサ、静電容量型近接センサ、磁気近接センサ、赤外線近接センサなどがある。静電式タッチスクリーンの場合、近接センサ１４１は、導電性を有する物体の近接による電界の変化から当該物体の近接を検出するように構成されてもよい。この場合、タッチスクリーン（またはタッチセンサ）自体が近接センサにも分類される。
【０１３５】
以下、説明の便宜上、上記物体を上記タッチスクリーン上に接触させるのではなく近接させて上記物体が上記タッチスクリーン上に位置することを認識させることを「近接タッチ（proximity touch）」といい、上記物体を上記タッチスクリーン上に実際に接触させることを「接触タッチ（contact touch）」という。上記物体により近接タッチされる上記タッチスクリーン上の位置とは、上記物体が近接タッチされる際に上記物体が上記タッチスクリーンに対して垂直に対応する位置を意味する。近接センサ１４１は、近接タッチ動作および近接タッチパターン（例えば、近接タッチ距離、近接タッチ方向、近接タッチ速度、近接タッチ時間、近接タッチ位置、近接タッチ移動状態など）を検知することができる。一方、制御部１８０は、近接センサ１４１により検知された近接タッチ動作および近接タッチパターンに対応するデータ（または情報）を処理し、また、処理されたデータに対応する視覚的な情報を上記タッチスクリーン上に出力させることができる。さらに、制御部１８０は、上記タッチスクリーン上の同一点へのタッチが近接タッチであるか接触タッチであるかによって、異なる動作またはデータ（もしくは情報）が処理されるように移動端末機１００を制御することができる。
【０１３６】
次に、タッチセンサは、抵抗膜式、静電容量式、赤外線式、超音波式、磁気式などの様々なタッチ方式のうちの少なくとも１つを用いて、上記タッチスクリーン（またはディスプレイ部１５１）へのタッチ（またはタッチ入力）を検知する。
【０１３７】
一例として、上記タッチセンサは、上記タッチスクリーンの特定箇所（部位）に加わった圧力または上記タッチスクリーンの特定箇所に発生する静電容量などの変化を電気的な入力信号に変換するように構成されてもよい。上記タッチセンサは、上記タッチスクリーンをタッチするタッチ手段により当該タッチセンサ上でタッチされる位置、面積、タッチ時の圧力、タッチ時の静電容量などを検出できるように構成されてもよい。ここで、上記タッチ手段とは、上記タッチセンサをタッチする物体をいい、例えば指、タッチペンまたはスタイラスペン、ポインタなどがある。
【０１３８】
上記タッチセンサに対するタッチ入力がある場合、それに対応する信号がタッチ制御装置に送られる。上記タッチ制御装置は、その信号を処理して対応するデータを制御部１８０に送る。これにより、制御部１８０は、ディスプレイ部１５１のどの領域がタッチされたかなどを把握することができる。ここで、上記タッチ制御装置は、制御部１８０とは別の構成要素であってもよく、制御部１８０自体であってもよい。
【０１３９】
また、制御部１８０は、上記タッチスクリーン（または上記タッチスクリーン以外の部分に配置されるタッチキー）をタッチするタッチ手段の種類によって異なる制御を行うこともでき、同じ制御を行うこともできる。上記タッチ手段の種類によって異なる制御を行うか同じ制御を行うかは、移動端末機１００の現在の動作状態または実行中のアプリケーションプログラムによって決定されるようにしてもよい。
【０１４０】
一方、上記タッチセンサおよび近接センサ１４１は、独立してまたは組み合わせて、上記タッチスクリーンへのショートタッチ（もしくはタップ）、ロングタッチ、マルチタッチ、ドラッグ、フリック、ピンチイン、ピンチアウト、スワイプ、ホバーなどの様々な方式のタッチを検知することができる。
【０１４１】
次に、超音波センサは、超音波を用いて、検知対象の位置情報を認識することができる。制御部１８０は、光センサおよび複数の超音波センサから検知される情報に基づいて、波動発生源の位置を算出することができる。波動発生源の位置は、光のほうが超音波より非常に速いこと、すなわち、光が光センサに到達する時間のほうが超音波が超音波センサに到達する時間より非常に速いことを利用して算出することができる。より具体的には、波動発生源の位置は、光を基準信号として超音波が到達する時間との時間差を利用して算出することができる。
【０１４２】
一方、前述した入力部１２０のカメラ１２１は、カメラセンサ（例えば、ＣＣＤ（Charge Coupled Device）、ＣＭＯＳ（Complementary Metal Oxide Semiconductor）など）、フォトセンサ（またはイメージセンサ）およびレーザセンサの少なくとも１つを含む。
【０１４３】
上記カメラセンサと上記レーザセンサとを組み合わせ、３次元立体画像への上記検知対象のタッチを検知するようにしてもよい。上記フォトセンサは、上記タッチスクリーンに近接する上記検知対象の動きをスキャンするように構成され、ディスプレイ素子に積層されるようにしてもよい。より具体的には、上記フォトセンサは、フォトダイオードおよびトランジスタ（ＴＲ）を行列状に実装し、上記フォトダイオードに入る光の量に応じて変化する電気信号を用いて、上記フォトセンサ上に載置されるものをスキャンする。すなわち、上記フォトセンサは、光の変化量に応じた上記検知対象の座標を計算し、それに基づいて上記検知対象の位置情報を取得する。
【０１４４】
出力部１５０のディスプレイ部１５１は、移動端末機１００で処理される情報を表示（出力）する。例えば、ディスプレイ部１５１は、移動端末機１００で起動されるアプリケーションプログラムの実行画面情報、または当該実行画面情報に応じたＵＩ（User Interface）、ＧＵＩ（Graphic User Interface）情報を表示する。
【０１４５】
また、ディスプレイ部１５１は、立体画像を表示する立体ディスプレイ部として構成されてもよい。
【０１４６】
上記立体ディスプレイ部には、ステレオスコピック方式（眼鏡方式）、オートステレオスコピック方式（裸眼方式）、プロジェクション方式（ホログラフィック方式）などの３次元ディスプレイ方式が適用される。
【０１４７】
出力部１５０の音響出力部１５２は、呼受信モード、通話モード、録音モード、音声認識モード、もしくは放送受信モードなどで、無線通信部１１０から受信するか、またはメモリ１７０に記憶されたオーディオデータを出力する。音響出力部１５２は、移動端末機１００で実行される機能（例えば、呼信号受信音、メール受信音など）に関連する音響信号も出力する。このような音響出力部１５２は、レシーバ、スピーカ、ブザーなどを含む。
【０１４８】
出力部１５０のハプティックモジュール１５３は、ユーザが感じることのできる様々な触覚効果を発生する。ハプティックモジュール１５３が発生する触覚効果の代表的な例としては振動がある。ハプティックモジュール１５３が発生する振動の強度やパターンなどは、ユーザの選択または制御部１８０の設定により制御することができる。例えば、ハプティックモジュール１５３は、異なる振動を合成して出力することもでき、順次出力することもできる。
【０１４９】
ハプティックモジュール１５３は、振動の他にも、皮膚接触面に対して垂直運動するピン配列、噴射口または吸入口を用いた空気の噴射力または吸入力、皮膚表面に対する擦れ、電極の接触、静電気力などの刺激による効果や、吸熱または発熱が可能な素子を用いた冷温感の再現による効果など、様々な触覚効果を発生することができる。
【０１５０】
ハプティックモジュール１５３は、直接的な接触により触覚効果を伝えることができるだけでなく、ユーザが指や腕などの筋感覚により触覚効果を感じるように実現することもできる。ハプティックモジュール１５３は、移動端末機１００の構成態様に応じて２つ以上備えられてもよい。
【０１５１】
出力部１５０の光出力部１５４は、移動端末機１００の光源の光を用いてイベント発生を通知するための信号を出力する。移動端末機１００で発生するイベントとしては、呼信号受信、メール受信、不在着信、アラーム、スケジュール通知、電子メール受信、アプリケーションによる情報受信などがある。
【０１５２】
光出力部１５４により出力される信号は、移動端末機１００が前面または背面から単色または複数色の光を発光することにより実現される。上記信号の出力は、移動端末機１００がユーザのイベント確認を検知することにより終了するようにしてもよい。
【０１５３】
インタフェース部１６０は、移動端末機１００に接続される全ての外部機器との通路の役割を果たす。インタフェース部１６０は、外部機器からデータを受信するか、供給された電源を移動端末機１００内部の各構成要素に送るか、または移動端末機１００内部のデータを外部機器に送信する。インタフェース部１６０は、例えば、有無線ヘッドセットポート、外部充電器ポート、有無線データポート、メモリカードポート、識別モジュールが備えられた装置を接続するポート、オーディオＩ／Ｏポート、ビデオＩ／Ｏポート、イヤホンポートなどを含む。
【０１５４】
上記識別モジュールは、移動端末機１００の使用権限を認証するための各種情報を記憶したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。上記識別モジュールが備えられた装置（以下、識別装置という）は、スマートカード形式で製造されてもよい。よって、上記識別装置は、インタフェース部１６０を介して移動端末機１００に接続することができる。
【０１５５】
また、インタフェース部１６０は、移動端末機１００が外部のクレードルに接続された場合、上記クレードルからの電源が移動端末機１００に供給される通路となり、ユーザにより上記クレードルから入力される各種命令信号が移動端末機１００に伝達される通路となる。上記クレードルから入力される各種命令信号または電源は、移動端末機１００が上記クレードルに正しく取り付けられたことを認知するための信号としても機能する。
【０１５６】
メモリ１７０は、制御部１８０の動作のためのプログラムを記憶することもでき、入出力されるデータ（例えば、電話帳、メッセージ、静止画像、動画像など）を一時記憶することもできる。メモリ１７０は、上記タッチスクリーンに対するタッチ入力時に出力される様々なパターンの振動および音響に関するデータを記憶することもできる。
【０１５７】
メモリ１７０は、フラッシュメモリタイプ、ハードディスクタイプ、ＳＳＤ（Solid State Drive）タイプ、ＳＤＤ（Silicon Disk Drive）タイプ、マルチメディアカードマイクロタイプ、カードタイプのメモリ（例えば、ＳＤまたはＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスクおよび光ディスクの少なくとも１つのタイプの記憶媒体を含む。移動端末機１００は、インターネット上でメモリ１７０の記憶機能を実行するウェブストレージに関連して動作することもできる。
【０１５８】
一方、制御部１８０は、前述したように、アプリケーションプログラムに関する動作と、通常の移動端末機１００の全般的な動作と、を制御する。例えば、制御部１８０は、移動端末機１００の状態が設定条件を満たす場合、アプリケーションに対するユーザの制御命令の入力を制限するロック状態を実行または解除することができる。
【０１５９】
また、制御部１８０は、音声通話、データ通信、テレビ電話などに関連する制御および処理を行うこともでき、上記タッチスクリーン上で行われる手書き入力および手描き入力をそれぞれ文字および画像として認識するパターン認識処理を行うこともできる。さらに、制御部１８０は、後述する様々な実施形態を本発明による移動端末機１００において実現するために、前述した移動端末機１００の構成要素のいずれかまたは複数を組み合わせて制御することができる。
【０１６０】
電源供給部１９０は、制御部１８０の制御下で、供給された外部の電源または内部の電源を移動端末機１００の各構成要素に必要に応じて供給する。電源供給部１９０は、バッテリを含んでもよい。上記バッテリは、充電可能な内蔵バッテリであってもよく、充電などのために端末機本体に脱着可能に結合されるものであってもよい。
【０１６１】
電源供給部１９０は、接続ポートをさらに含んでもよい。上記接続ポートは、上記バッテリの充電のために電源を供給する外部充電器が電気的に接続されるインタフェース１６０の一例として構成されてもよい。
【０１６２】
他の例として、電源供給部１９０は、上記接続ポートを用いるのではなく、無線方式で上記バッテリを充電するように構成されてもよい。この場合、電源供給部１９０は、外部の無線電力送信装置から、電磁誘導現象に基づく電磁誘導方式または電磁界共鳴現象に基づく電磁界共鳴方式の少なくとも１つを用いて電力を受信する。
【０１６３】
以下に説明する様々な実施形態は、例えばソフトウェア、ハードウェアまたはそれらの組み合わせにより、コンピュータまたはそれと類似の装置で読み取りが可能な記録媒体内で実現することができる。
【０１６４】
図３Ｂおよび図３Ｃを参照すると、移動端末機１００は、ストレート型の端末機本体を備えている。ただし、本発明は、これに限定されるものではなく、ウォッチ型、クリップ型、グラス型、２つ以上の本体が相対移動可能に結合される折り畳み型、フリップ型、スライド型、スイング型、２軸回転型などの様々な構造に適用可能である。すなわち、ストレート型の移動端末機を一例として説明するが、当該説明は、他のタイプの移動端末機にも一般的に適用可能である。
【０１６５】
ここで、端末機本体とは、移動端末機１００を少なくとも１つの集合体とみなしてそれを示す概念である。
【０１６６】
移動端末機１００は、外観を形成するケース（例えば、フレーム、ハウジング、カバーなど）を含む。同図に示すように、移動端末機１００は、フロントケース１０１とリアケース１０２とを含んでもよい。フロントケース１０１とリアケース１０２との結合により形成される内部空間には、各種電子部品が配置される。フロントケース１０１とリアケース１０２との間には、１つまたは複数のミドルケースがさらに配置されてもよい。
【０１６７】
上記端末機本体の前面には、情報を出力できるようにディスプレイ部１５１が配置されてもよい。同図に示すように、ディスプレイ部１５１のウィンドウ１５１ａは、フロントケース１０１に装着されてフロントケース１０１と共に上記端末機本体の前面を形成するようにしてもよい。
【０１６８】
場合によっては、リアケース１０２にも電子部品が装着される。リアケース１０２に装着可能な電子部品としては、着脱可能なバッテリ、識別モジュール、メモリカードなどがある。この場合、リアケース１０２には、装着された電子部品を覆うための背面カバー１０３が着脱可能に結合される。つまり、背面カバー１０３がリアケース１０２から分離した場合、リアケース１０２に装着された電子部品が外部に露出する。
【０１６９】
同図に示すように、背面カバー１０３がリアケース１０２に結合されると、リアケース１０２の側面の一部が露出する。場合によっては、上記結合時、リアケース１０２が背面カバー１０３により完全に遮蔽される。また、背面カバー１０３には、カメラ１２１ｂ、光出力部１５４、フラッシュ１２４、ユーザ入力部（１２３ａ）などを外部に露出させるための開口部が備えられてもよい。
【０１７０】
これらのケース１０１、１０２、１０３は、合成樹脂を射出して形成してもよく、金属、例えばステンレススチール、アルミニウム（Ａｌ）、チタン（Ｔｉ）などで形成してもよい。
【０１７１】
移動端末機１００は、複数のケースが各種電子部品を収容する内部空間を形成する上記例とは異なり、１つのケースが上記内部空間を形成するように構成されてもよい。この場合、合成樹脂または金属が側面から背面につながるユニボディの移動端末機１００が実現される。
【０１７２】
さらに、移動端末機１００は、上記端末機本体の内部に水が入り込まないようにする防水部（図示せず）を含んでもよい。例えば、上記防水部は、ウィンドウ１５１ａとフロントケース１０１との間、フロントケース１０１とリアケース１０２との間、またはリアケース１０２と背面カバー１０３との間に備えられ、これらの結合時に内部空間を密閉する防水部材を含んでもよい。
【０１７３】
さらに、移動端末機１００は、ディスプレイ部１５１、第１および第２音響出力部１５２ａ、１５２ｂ、近接センサ１４１、照度センサ１４２、光出力部１５４、第１および第２カメラ１２１ａ、１２１ｂ、第１および第２操作ユニット１２３ａ、１２３ｂ、マイク１２２、インタフェース部１６０などを含んでもよい。
【０１７４】
以下、図３Ｂおよび図３Ｃに示すように、上記端末機本体の前面にディスプレイ部１５１、第１音響出力部１５２ａ、近接センサ１４１、照度センサ１４２および第１カメラ１２１ａが配置され、上記端末機本体の側面に第２操作ユニット１２３ｂ、第２音響出力部１５２ｂ、マイク１２２およびインタフェース部１６０が配置され、上記端末機本体の背面に光出力部１５４、第１操作ユニット１２３ａ、第２カメラ１２１ｂおよびフラッシュ１２４が配置された移動端末機１００を一例として説明する。
【０１７５】
ただし、移動端末機１００のこれらの構成要素は、上記配置に限定されるものではなく、必要に応じて除外または代替されたり、他の面に配置されてもよい。例えば、上記端末機本体の前面に操作ユニットが備えられず、第２音響出力部１５２ｂが上記端末機本体の側面ではなく上記端末機本体の背面に備えられるようにしてもよい。
【０１７６】
ディスプレイ部１５１は、移動端末機１００で処理される情報を表示（出力）する。例えば、ディスプレイ部１５１は、移動端末機１００で起動されるアプリケーションプログラムの実行画面情報、または当該実行画面情報に応じたＵＩ（User Interface）、ＧＵＩ（Graphic User Interface）情報を表示する。
【０１７７】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイ、電子インクディスプレイの少なくとも１つを含む。
【０１７８】
ディスプレイ部１５１は、移動端末機１００の実現形態に応じて２つ以上備えられてもよい。この場合、移動端末機１００には、複数のディスプレイ部を１つの面に離隔してまたは一体に配置してもよく、異なる面にそれぞれ配置してもよい。
【０１７９】
ディスプレイ部１５１は、タッチ方式で制御命令の入力を受けることができるように、ディスプレイ部１５１へのタッチを検知するタッチセンサを含んでもよい。よって、ディスプレイ部１５１へのタッチが行われると、上記タッチセンサは、上記タッチを検知し、制御部１８０は、それに基づいて上記タッチに対応する制御命令を発生するようにすることができる。タッチ方式で入力される内容は、文字、数字、各種モードの指示、または指定可能なメニュー項目などである。
【０１８０】
上記タッチセンサは、タッチパターンを備えるフィルム状に構成されてウィンドウ１５１ａとウィンドウ１５１ａの背面上のディスプレイ１５１との間に配置されてもよく、ウィンドウ１５１ａの背面に直接パターニングされるメタルワイヤで構成されてもよい。また、上記タッチセンサは、ディスプレイ１５１と一体に形成されてもよい。例えば、上記タッチセンサは、ディスプレイ１５１の基板上に配置されてもよく、ディスプレイ１５１の内部に備えられてもよい。
【０１８１】
このように、ディスプレイ部１５１は、上記タッチセンサと共にタッチスクリーンを実現することができる。この場合、上記タッチスクリーンは、ユーザ入力部１２３（図３Ａ参照）として機能することができる。場合によっては、上記タッチスクリーンは、操作ユニットの少なくとも一部の機能を代替することができる。
【０１８２】
第１音響出力部１５２ａは、通話音をユーザの耳に伝えるレシーバで実現し、第２音響出力部１５２ｂは、各種アラーム音やマルチメディアの再生音を出力するラウドスピーカの形態で実現してもよい。
【０１８３】
ディスプレイ部１５１のウィンドウ１５１ａには、第１音響出力部１５２ａから発生する音響の放出のための音響ホールが形成されてもよい。しかしながら、本発明は、これに限定されるものではなく、第１音響出力部１５２ａから発生する音響が構造物間の組立隙間（例えば、ウィンドウ１５１ａとフロントケース１０１との間の隙間）から放出されるようにしてもよい。この場合、音響の放出のために独立して形成されるホールが見えなくなるかまたは隠れるので、移動端末機１００の外観がよりシンプルになる。
【０１８４】
光出力部１５４は、イベントの発生時にそれを通知するための光を出力するように構成される。上記イベントの例としては、呼信号受信、メッセージ受信、不在着信、アラーム、スケジュール通知、電子メール受信、アプリケーションによる情報受信などが挙げられる。制御部１８０は、ユーザのイベント確認が検知されると光の出力が終了するように、光出力部１５４を制御することができる。
【０１８５】
第１カメラ１２１ａは、撮影モードまたはテレビ電話モードでイメージセンサにより得られる静止画像または動画像の画像フレームを処理する。第１カメラ１２１ａで処理された画像フレームは、ディスプレイ部１５１に表示されることができ、メモリ１７０に記憶されることもできる。
【０１８６】
操作ユニット１２３ａ、１２３ｂは、移動端末機１００の動作を制御するための命令を入力するために操作するユーザ入力部１２３の一例であり、操作部ともいわれる。操作ユニット１２３ａ、１２３ｂは、タッチ、プッシュ、スクロールなど、触知式（tactile manner）であればいかなるタッチ方式も採用可能である。また、操作ユニット１２３ａ、１２３ｂは、近接タッチ（proximity touch）、ホバリングタッチなど、非触知式のタッチ方式も採用可能である。
【０１８７】
操作ユニット１２３ａは、プッシュキー（メカニカルキー）で構成されてもよく、タッチキーとプッシュキーとの組み合わせで構成されてもよい。また、操作ユニット１２３ａは、指紋センサと層状構造を形成するように構成されてもよい。
【０１８８】
操作ユニット１２３ａ、１２３ｂにより入力される内容は、多様に設定することができる。例えば、メニュー、ホームキー、キャンセル、検索などの命令が入力され、第１または第２音響出力部１５２ａ、１５２ｂから出力される音響のボリューム調整、ディスプレイ部１５１のタッチ認識モードへの移行などの命令が入力される。
【０１８９】
また、上記端末機本体の背面には、ユーザ入力部１２３の他の例として、背面入力部（図示せず）が備えられてもよい。上記背面入力部は、移動端末機１００の動作を制御するための命令を入力するために操作するものであり、上記背面入力部により入力される内容は、多様に設定することができる。例えば、電源のオン／オフ、開始、終了、スクロールなどの命令、第１および第２音響出力部１５２ａ、１５２ｂから出力される音響のボリューム調整、ディスプレイ部１５１のタッチ認識モードへの移行などの命令が入力される。上記背面入力部は、タッチ入力、プッシュ入力、またはそれらの組み合わせによる入力が可能な形態で実現することができる。
【０１９０】
上記背面入力部は、上記端末機本体の厚さ方向に前面のディスプレイ部１５１と重なるように配置されてもよい。例えば、ユーザが上記端末機本体を片手で握った場合に人差し指を用いて容易に操作できるように、上記背面入力部は、上記端末機本体の背面の上端部に配置されてもよい。ただし、本発明は、これに限定されるものではなく、上記背面入力部の位置は変更可能である。
【０１９１】
このように上記端末機本体の背面に上記背面入力部が備えられた場合、それを用いた新しい形態のユーザインタフェースを実現することができる。また、上記タッチスクリーンまたは上記背面入力部が上記端末機本体の前面に備えられた第１操作ユニット１２３ａの少なくとも一部の機能を代替して、上記端末機本体の前面に第１操作ユニット１２３ａが配置されない場合、ディスプレイ部１５１をより大画面に構成することができる。
【０１９２】
さらに、移動端末機１００は、ユーザの指紋を認識する指紋センサを含んでもよい。この場合、制御部１８０は、上記指紋センサにより検知される指紋情報を認証手段として用いることができる。上記指紋センサは、ディスプレイ部１５１またはユーザ入力部１２３に内蔵されてもよい。
【０１９３】
マイク１２２は、ユーザの音声、その他の音などを入力できるように構成される。マイク１２２は、複数箇所に備えられてステレオ音響を入力できるように構成されてもよい。
【０１９４】
インタフェース部１６０は、移動端末機１００を外部機器に接続するための通路となる。例えば、インタフェース部１６０は、他の装置（例えば、イヤホン、外部スピーカなど）との接続のための接続端子、近距離通信のためのポート（例えば、赤外線ポート、ブルートゥース（登録商標）ポート、無線ＬＡＮポートなど）、または移動端末機１００への電源供給のための電源供給端子の少なくとも１つである。インタフェース部１６０は、ＳＩＭ（Subscriber Identity Module）、ＵＩＭ（User Identity Module）、情報記憶のためのメモリカードなどの外部カードを収容するソケットの形態で実現されてもよい。
【０１９５】
上記端末機本体の背面には、第２カメラ１２１ｂが配置されてもよい。この場合、第２カメラ１２１ｂは、第１カメラ１２１ａとは撮影方向が実質的に反対である。
【０１９６】
第２カメラ１２１ｂは、少なくとも１つのラインに沿って配列される複数のレンズを含んでもよい。上記複数のレンズは、マトリクス状に配列されてもよい。このようなカメラを「アレイカメラ」ともいう。第２カメラ１２１ｂがアレイカメラで構成された場合、上記複数のレンズを用いて様々な方式で画像を撮影することができ、より良い品質の画像を取得することができる。
【０１９７】
フラッシュ１２４は、第２カメラ１２１ｂに隣接して配置されてもよい。フラッシュ１２４は、第２カメラ１２１ｂで被写体を撮影する場合に被写体に向けて光を照射する。
【０１９８】
上記端末機本体には、第２音響出力部１５２ｂがさらに配置されてもよい。第２音響出力部１５２ｂは、第１音響出力部１５２ａと共にステレオ機能を実現することができ、通話時にはスピーカフォンモードの実現のために用いられることができる。
【０１９９】
上記端末機本体には、無線通信のための少なくとも１つのアンテナが備えられてもよい。上記アンテナは、上記端末機本体に内蔵されてもよく、ケースに形成されてもよい。例えば、放送受信モジュール１１１（図３Ａ参照）の一部を構成するアンテナは、上記端末機本体から引き出し可能に構成されてもよい。また、上記アンテナは、フィルム状に形成されて背面カバー１０３の内面に取り付けられてもよく、導電性材質を含むケースがアンテナとして機能するように構成されてもよい。
【０２００】
上記端末機本体には、移動端末機１００に電源を供給するための電源供給部１９０（図３Ａ参照）が備えられてもよい。電源供給部１９０は、上記端末機本体に内蔵されてもよく、上記端末機本体の外部に着脱可能に構成されるバッテリ１９１を含んでもよい。
【０２０１】
バッテリ１９１は、インタフェース部１６０に接続される電源ケーブルを介して電源が供給されるように構成されてもよい。また、バッテリ１９１は、無線充電機器により無線充電可能に構成されてもよい。上記無線充電は、電磁誘導方式または磁界共振方式（電磁界共鳴方式）で実現することができる。
【０２０２】
同図においては、背面カバー１０３がバッテリ１９１を覆うようにリアケース１０２に結合されてバッテリ１９１の離脱を制限し、バッテリ１９１を外部の衝撃および異物から保護するように構成された場合を例示している。バッテリ１９１が上記端末機本体に着脱可能に構成された場合、背面カバー１０３がリアケース１０２に着脱可能に結合されるようにしてもよい。
【０２０３】
さらに、移動端末機１００は、外観を保護したり、移動端末機１００の機能を補助または拡張するためのアクセサリを含んでもよい。上記アクセサリの一例としては、移動端末機１００の少なくとも一面を覆蓋または収容するカバーまたはパウチが挙げられる。上記カバーまたは上記パウチは、ディスプレイ部１５１と連動して移動端末機１００の機能を拡張するように構成されてもよい。上記アクセサリの他の例としては、上記タッチスクリーンに対するタッチ入力を補助または拡張するためのタッチペンが挙げられる。
【０２０４】
なお、本発明による電子機器は、移動端末機１００の一側（例えば、下端側面）に備えられるインタフェース部１６１の接続ポート、すなわち第１有線通信部１６１と、ケース２００の第１本体２１０の一側に備えられるコネクタ、すなわち第２有線通信部２４３と、が結合され、電源供給および各種信号の送受信のための有線通信を行うように構成される。
【０２０５】
ここで、上記有線通信とは、前述したようにＵＳＢ Ｉ／Ｏインタフェース規格を用いて行う通信をいう。しかしながら、必ずしもこれに限定されるものではなく、有線通信のための他のインタフェース規格を適用できることはいうまでもない。
【０２０６】
以下、添付図面を参照して、第１および第２有線通信部１６１、２４３間で有線通信を行う方法についてより具体的に説明する。図４は、本発明による電子機器における移動端末機とケースに備えられるディスプレイ部との間の制御方法を説明する概念図である。
【０２０７】
本発明による移動端末機１００は、第１本体２１０に結合されることができる。移動端末機１００は、第１本体２１０に結合されると、第１本体２１０に備えられるコネクタ２４３が移動端末機１００に備えられる接続ポートに挿入され、第１および第２有線通信部１６１、２４３を介して有線通信を行うことができる。
【０２０８】
ここで、ケース２００の第１本体２１０は、移動端末機１００のホスト機器となり、移動端末機１００と有線通信、例えばＵＳＢ通信を行うことができる。
【０２０９】
移動端末機１００に備えられる第１有線通信部１６１は、図３Ａにおいて説明したインタフェース部１６０に含まれるようにしてもよい。移動端末機１００のインタフェース部１６０は、複数のコンタクトピンを備え、移動端末機１００の制御部１８０により上記コンタクトピンに接続されたホスト機器を識別できるように構成される。
【０２１０】
第１有線通信部１６１は、移動端末機１００の下端側面に備えられてもよい。また、第２有線通信部２４３は、移動端末機１００がケース２００の第１本体２１０に収容されたときに第１有線通信部１６１が接触する位置に対応して備えられてもよい。すなわち、第２有線通信部２４３は、第１本体２１０の下端側面に備えられてもよい。
【０２１１】
本発明においては、第１本体２１０に移動端末機１００が収容され、第１本体２１０に備えられる第２有線通信部２４３のコンタクトピンが移動端末機１００の第１有線通信部１６１のポートに挿入されると、第１および第２有線通信部１６１、２４３を介して有線通信、例えばＵＳＢ Ｉ／Ｏ通信を行うことができる。
【０２１２】
よって、移動端末機１００においては、ＵＳＢ Ｉ／Ｏインタフェースを介して、第２ディスプレイ部２５０に動作電流を供給し、制御信号や画像信号を送信することができる。また、第２ディスプレイ部２５０においては、第２ディスプレイ部２５０に対するタッチ入力に対応するタッチ信号の処理のために、ＵＳＢ Ｉ／Ｏインタフェースを介して、上記タッチ信号を移動端末機１００に伝達することができる。
【０２１３】
一方、前述した動作電流の供給と制御信号や画像信号の送信とは、異なる有線通信経路で行われるようにしてもよい。このために、第１および第２有線通信部１６１、２４３は、複数のコンタクトピンを含み、送信される信号のタイプによって異なるコンタクトピンを用いるように設定してもよい。
【０２１４】
第２有線通信部２４３は、第１有線通信部１６１に挿入されてケース２００に結合される構造を有するので、第２有線通信部２４３にモールドされた複数のコンタクトピンは、外部に露出する。本発明においては、上記複数のコンタクトピンが例えば１２ピンを含む構造である例を説明した。
【０２１５】
一方、図示していないが、第１および第２有線通信部１６１、２４３は、流体が外部から流入したり内部で移動することを防止するように、上記複数のコンタクトピンと共にモールドされる防水部材（図示せず）を含んでもよい。また、上記防水部材は、付勢力を有するオーリング（Ｏリング）で代替してもよい。
【０２１６】
第１本体２１０に備えられる第２有線通信部２４３は、連結部２３０に含まれる配線部２４２を介して、移動端末機１００から第２ディスプレイ部２５０に有線でデータを送受信するように構成される。また、第２有線通信部２４３は、単方向（移動端末機１００から第２ディスプレイ部２５０へのデータの流れ）または双方向（移動端末機１００と第２ディスプレイ部２５０との間の双方向のデータの流れ）に第１有線通信部１６１と通信を行う。
【０２１７】
本発明による第１および第２有線通信部１６１、２４３には、接触コネクタ方式が用いられてもよい。例えば、ＵＳＢ−Ｃタイプのコネクタ方式またはライトニングケーブル方式が用いられてもよい。
【０２１８】
また、第１および第２有線通信部１６１、２４３は、各種データを有線通信方式で送受信するよう構成されてもよい。例えば、グラフィックデータ、オーディオデータ、ビデオデータ、タッチイベントデータ、制御に関するデータおよびそれらの組み合わせのいずれかであってもよい。
【０２１９】
一方、第２本体２２０に備えられる第２ディスプレイ部２５０は、移動端末機１００の電源供給部１９０から供給される電源に基づいて動作するように構成されてもよい。
【０２２０】
ここで、上記電源は、前述したように、移動端末機１００の接続ポートに接続されるコネクタ２４３、連結部２３０に備えられて第１フレキシブルプリント基板２４７に結合される配線部２４２、第２フレキシブルプリント基板２４８を介して、第２本体２２０に備えられる第２ディスプレイ部２５０およびプリント基板２４４に伝達されるようにしてもよい。
【０２２１】
移動端末機１００の電源部１９１は、接続ポートに接続される第２有線通信部２４３、第１フレキシブルプリント基板２４７、連結部２３０に備えられる配線部２４２、第２本体２２０に備えられる第２フレキシブルプリント基板２４８の電気的接続通路を介して、第２ディスプレイ部２５０の電源部２９１に動作電流（または電源）を供給するように構成される。ここで、上記動作電流は、第２有線通信部２４３に備えられる特定のコンタクトピン、例えばＵＳＢ−Ｃタイプの「ＣＣ１」ピンを介して第２ディスプレイ部２５０に供給される。
【０２２２】
一方、移動端末機１００は、第１本体２１０に着脱可能に結合されるようにしてもよい。また、移動端末機１００は、第１本体２１０に結合されたか否かを検知するように構成されてもよい。上記検知のために、第１本体２１０は、移動端末機１００に対向する一面にマグネット２４５を備え、移動端末機１００の後側には、移動端末機１００の端末機本体が第１本体２１０に結合されるとマグネット２４５に対応する磁場を検知するように構成されるホールセンサ１４３が備えられるようにしてもよい。移動端末機１００は、ホールセンサ１４３により上記磁場が検知されると、ケース２００に結合されたことを検出し、予め設定された制御を行うようにしてもよい。
【０２２３】
ここで、上記予め設定された制御は、前述したように、動作電流の供給を意味するものではない。
【０２２４】
第１および第２有線通信部１６１、２４３が互いに接続されて通信可能になると、移動端末機１００は、第１本体２１０に備えられる第２有線通信部２４３に含まれる複数のコンタクトピンのうちの特定のコンタクトピン（例えば、ＣＣ１、ＣＣ２）を介して、第１本体２１０に備えられる複数の抵抗Ｒａ、Ｒｄを検出することができる。
【０２２５】
このように複数の抵抗が検出されると、上記電源、例えばＶｃｏｎｎがＣＣ１に供給されることにより、第２ディスプレイ部２５０に動作電流が供給される。
【０２２６】
第２ディスプレイ部２５０に動作電流が供給されると、第２ディスプレイ部２５０のシステムは、起動および初期化されて動作可能な待機状態となる。
【０２２７】
ここで、第２ディスプレイ部２５０は、アクティブ状態および非アクティブ状態のいずれかの状態にあり、第２ディスプレイ部２５０が非アクティブ状態になっても、第２ディスプレイ部２５０に備えられるタッチセンサ（またはタッチパネル２５２）は、アクティブ状態で駆動され、第２ディスプレイ部２５０に対するタッチを検知するように構成されてもよい。
【０２２８】
一方、第２ディスプレイ部２５０がアクティブになると、移動端末機１００の制御部は、第１有線通信部１６１を介して、第２ディスプレイ部２５０に備えられるディスプレイ２５１に出力される画面情報に対応する画像信号を第２有線通信部２４３に伝達する。ここで、上記画像信号の有線通信経路は、前述した電源供給のための有線通信経路とは異なる。
【０２２９】
例えば、上記電源供給は、第２有線通信部２４３に備えられるＣＣ１ピンによる有線通信経路で、上記画像信号は、ＵＳＢ ＳＳ１、ＳＳ２ピンによる有線通信経路で、第２ディスプレイ部２５０に伝達されるようにしてもよい。
【０２３０】
第２ディスプレイ部２５０は、第２有線通信部２４３およびプリント基板２４４を介して、第１有線通信部１６１からデータを受信するようにしてもよい。ここで、デジタル画像信号は、データ変換部２８２により、データが変換されて第２ディスプレイ部２５０に出力されることができる形にするようにしてもよい。例えば、第２ディスプレイ部２５０は、ＬＣＤパネルで構成されてもよく、この場合、移動端末機１００から受信したＤＰ形式のデジタル画像信号は、データ変換部２８２により、上記ＬＣＤパネルが受信できるデータ形式（ＭＩＰＩ形式）に変換され、ディスプレイ２５１に伝達および出力されるようにしてもよい。
【０２３１】
一方、第１および第２有線通信部１６１、２４３を介して送受信されるデータは、タイプによって、ＵＳＢ Ｉ／Ｏインタフェースにおいて異なるコンタクトピンを用いて送受信されるようにしてもよい。
【０２３２】
具体的には、一例として、画像信号は、ＵＳＢ ＳＳＰＨＹピンを介して、移動端末機１００から第２ディスプレイ部２５０に送受信され、データ変換部２８２により、第２ディスプレイ部２５０に出力できる形（例えば、ＭＩＰＩ形式）に変換されるようにしてもよい。他の例として、第２ディスプレイ部２５０の動作に関する制御信号は、ＥＤＰ（External Display Port） ＡＵＸピンを介して、第２ディスプレイ部２５０に送受信されるようにしてもよい。
【０２３３】
通信制御信号、タッチ信号、照度制御信号などのように、移動端末機１００とディスプレイ部２５０との間の送信が要求される信号は、第２ＵＳＢ ＨＩＤ（Human Interface Device）通信を用いる第１および第２信号処理部１８１、２８１により送受信されるようにしてもよい。
【０２３４】
ここで、移動端末機１００は、初期状態では、第１信号処理部１８１がコネクタのＡ側のＡ６、Ａ７ピンとＢ側のＢ６、Ｂ７ピンとを用いて、第１ＵＳＢ通信により信号を送受信する。一方、第１および第２有線通信部１６１、２４３が互いに接続されて通信可能になり、ＣＣ１ピンを介して複数の抵抗Ｒａ、Ｒｄが検出されると、スイッチにより切り替えられ、上記初期状態とは異なり、Ｂ側のＢ６、Ｂ７ピンのみを用いる第２ＵＳＢ通信により信号を送受信する。
【０２３５】
このように第２ＵＳＢ通信により信号処理を行うようにスイッチが切り替えられると、第１および第２信号処理部１８１、２８１は、ＵＳＢ ＨＩＤ通信によりＩ２Ｃ変換を行い、第２ディスプレイ部２５０に対するタッチに対応する動作、例えばタッチに対応するタッチ信号の送信などを行うようにしてもよい。また、第１および第２信号処理部１８１、２８１は、上記第２ＵＳＢ通信により、制御部２８０とデータ変換部２８２との間のＨＰＤ（Hot Plug Detect）通信をサポートするようにしてもよい。
【０２３６】
一方、第２ディスプレイ部２５０の初期化などは、第２ディスプレイ部２５０に含まれる制御部２８０により制御されるようにしてもよい。
【０２３７】
以上説明したように、本発明による移動端末機１００は、ケース２００に備えられるディスプレイ部２５０に出力される情報を制御することができる。すなわち、移動端末機１００により第２ディスプレイ部２５０の駆動を制御することができる。このために、移動端末機１００の接続ポートとケース２００に備えられるコネクタとが接続され、複数の抵抗を検出することにより、移動端末機１００が結合されたケース２００を識別することができる。よって、本発明においては、移動端末機１００とケース２００との間の通信のための別途のチップを備える必要がないので、様々なモデルの移動端末機と互換が可能であり、コストを低減することができ、ケース２００の厚さをより薄くすることができる。
【０２３８】
以下、添付図面を参照して、移動端末機とケースに備えられるディスプレイ部との間の制御方法について、上記内容に基づいてより具体的に説明する。
【０２３９】
図５は、本発明による電子機器における移動端末機とケースに備えられるディスプレイ部との間の制御に関する信号の流れと、スタックの割り当て方法と、を説明するための代表フローチャートである。
【０２４０】
まず、本発明による電子機器３００において、移動端末機１００がケース２００に結合されると、接続ポートとコネクタとの接続により、移動端末機１００は、第２ディスプレイ部２５０に対応する抵抗を検知することができる（５０１）。
【０２４１】
具体的には、移動端末機１００の接続ポートがケース２００の一側に備えられるコネクタに接続されると、移動端末機１００は、第２ディスプレイ部２５０に動作電流を供給するか否かを決定するために、上記コネクタと共に備えられる複数の抵抗を検出することができる。
【０２４２】
上記複数の抵抗が検出されると、移動端末機１００は、上記コネクタを介して第２ディスプレイ部２５０に動作電流を供給し、第２ディスプレイ部２５０は、非アクティブ状態を維持する（５０２）。
【０２４３】
具体的には、上記複数の抵抗が検出されると、移動端末機１００の電源部１９１は、ホストモードで動作し、動作電流をダウンストリームで上記コネクタに供給する。すなわち、移動端末機１００の接続ポートがＤＦＰ（Downstream Facing Port）となるように切り替えられ、上記コネクタのコンタクトピンに動作電流が供給される。例えば、上記コネクタのコンタクトピンのうちＣＣ１ピンを介して、Ｖｃｏｎｎ電源の形で動作電流が供給される。
【０２４４】
この場合、第２ディスプレイ部２５０は、デバイスモードで動作し、動作電流をアップストリームで受信する。すなわち、ケース２００に備えられるコネクタは、ＵＦＰ（Upstream Facing Port）として動作する。
【０２４５】
このように、ケース２００に備えられるコネクタのＣＣ１ピンを介して供給される動作電流は、前述したように、第１および第２フレキシブルプリント基板２４７、２４８に結合される配線部２４２を介して、第２ディスプレイ部２５０、プリント基板２４４などに供給される。なお、第２ディスプレイ部２５０の電源部２９１にも動作電流が供給される。
【０２４６】
一方、電子機器３００は、前述したように、開状態および閉状態のいずれかの状態にあり、上記閉状態から上記開状態への移行が検知されると、移動端末機１００に備えられる第１ディスプレイ部１５１のアクティブ状態の駆動を維持し、メインスタックに含まれるタスクに関連する画面を第１ディスプレイ部１５１に出力する（５０３）。
【０２４７】
ここで、上記メインスタックとは、第１ディスプレイ部１５１のために割り当てられるメモリスタックを意味する。
【０２４８】
また、上記閉状態から上記開状態への移行の検知は、例えば、移動端末機１００の前面に備えられる照度センサの検知値を検出して行うようにしてもよい。
【０２４９】
その後、アクティブ状態の第１ディスプレイ部１５１に対して予め設定されたタッチ入力が行われると、第１ディスプレイ部１５１は、タッチセンサによりそのタッチを検知する（５０４）。そして、上記検知されたタッチに対応するタッチ信号を判断する（５０５）。
【０２５０】
上記判断の結果、上記タッチ信号が第２ディスプレイ部２５０をアクティブ状態に移行させるためのものである場合、移動端末機１００の制御部は、第２ディスプレイ部２５０をアクティブ状態に移行させる制御信号を出力して第２ディスプレイ部２５０に送信する（５０６）。
【０２５１】
他の例として、電子機器３００の上記閉状態から上記開状態への移行を検知することにより、移動端末機１００に備えられる第１ディスプレイ部１５１がアクティブ状態で駆動されると、所定の時間（例えば、０．５秒〜１秒）が経過した後、第２ディスプレイ部２５０が非アクティブ状態からアクティブ状態に移行して駆動されるようにしてもよい。すなわち、第１ディスプレイ部１５１の画面がオンになると、所定時間経過後に第２ディスプレイ部２５０の画面がオンになるようにしてもよい。
【０２５２】
この場合、上記ステップ５０４〜５０６は省略してもよい。すなわち、第１ディスプレイ部１５１に対するタッチに基づいて第２ディスプレイ部２５０をアクティブにする動作は、オプションとして行うようにしてもよい。
【０２５３】
ここで、第１ディスプレイ部１５１をアクティブ状態で駆動するステップ５０３を行う前に、電子機器３００が上記閉状態から上記開状態に移行するか否かを検知するステップを追加してもよい。
【０２５４】
一方、さらに他の例として、図示していないが、第２ディスプレイ部２５０が非アクティブ状態で駆動されている間に、第２ディスプレイ部２５０に対して予め設定されたタッチ入力が行われると、それに基づいて第２ディスプレイ部２５０をアクティブ状態に移行させる制御信号が移動端末機１００から送信されるようにしてもよい。
【０２５５】
ここで、上記タッチ信号に対応する信号処理は、前述したように、第１および第２信号処理部１８１、２８１により行われるようにしてもよい。
【０２５６】
具体的には、移動端末機１００の初期状態では、第１ＵＳＢ通信を用いて有線通信を行い、第２ディスプレイ部２５０に対応する複数の抵抗Ｒａ、Ｒｄが検出されると（例えば、第２ディスプレイ部２５０からタッチ信号が送信されると）、移動端末機１００は、コネクタ２４３のＢ側のコンタクトピン（例えば、Ｂ６、Ｂ７）のみで接続された第２ＵＳＢ通信を用いてそのタッチに対応する動作を制御する。
【０２５７】
第２ディスプレイ部２５０が非アクティブ状態になっても、第２ディスプレイ部２５０に備えられるタッチセンサ（またはタッチパネル２５２）は、アクティブ状態で駆動され、第２ディスプレイ部２５０に対するタッチを検知するようにしてもよい。
【０２５８】
上記検知されたタッチは、第１および第２信号処理部１８１、２８１によりＩ２Ｃ変換されるようにしてもよい。また、上記検知されたタッチは、ケース２００の第２本体２２０に備えられるプリント基板２４４、第１および第２フレキシブルプリント基板２４７、２４８に結合される配線部２４２、ならびにコネクタ、すなわち第２有線通信部２４３を介して、第２ディスプレイ部２５０から移動端末機１００に伝達される。
【０２５９】
すると、移動端末機１００は、第２ディスプレイ部２５０から送信されたタッチ信号を判断し、予め設定されたタッチ入力に対応するか否かを決定する。ここで、上記予め設定されたタッチ入力とは、例えば、非アクティブ状態の第２ディスプレイ部２５０がアクティブ状態に移行するように第２ディスプレイ部２５０に対して行われた複数のタップを意味する。
【０２６０】
上記タッチ信号が上記予め設定されたタッチ入力に対応すると判断されると、移動端末機１００は、上記ステップ５０６の過程を行うようにしてもよい。すなわち、移動端末機１００の制御部により、第２ディスプレイ部２５０をアクティブ状態に移行させる制御信号が出力され、その制御信号が第２ディスプレイ部２５０に送信されるようにしてもよい。
【０２６１】
このようにして第２ディスプレイ部２５０がアクティブ状態になると、第２ディスプレイ部２５０のためのサブスタックが割り当てられる（５０７）。
【０２６２】
ここで、スタックは、データを積層（push、pop）（プッシュ、ポップ）する構造の１つであり得る。データを積層する構造には、スタック形式およびキュー（Queue）形式がある。スタックは、先入れ後出し（First-In Last-Out）のデータ構造であり、キューは、先入れ先出し（First-In First-Out）のデータ構造である。
【０２６３】
スタックでは、データの挿入（insert）および削除（delete）が一端でのみ行われるように制限される。本発明においては、アクティブ状態であるか否かによって、第１および第２ディスプレイ部１５１、２５０のためのスタックが別々に割り当ておよび除去される。本発明においては、割り当てられたスタックに、表示された画面情報に関連するタスクが含まれる／積層される。
【０２６４】
ここで、上記タスクは、特定のアプリケーションの実行に関連するモジュール化された単位であり得る。また、特定のアプリケーション内における様々な動作は、タスク内のアクティビティ単位で存在するようにしてもよい。
【０２６５】
よって、上記スタックは、アプリケーションごとに別々に割り当てられるのではなく、複数のアプリケーションに関連する複数のタスクまたは複数のアクティビティが１つのスタック内に積層される。
【０２６６】
次に、サブスタックに含まれるタスクに関連する画像信号が移動端末機１００から第２ディスプレイ部２５０に伝達される。ここで、上記タスクとは、上記スタックに積層されたデータがディスプレイ部により出力、実行または管理される単位を意味する。
【０２６７】
よって、例えばホームスクリーンページがディスプレイ部に表示される場合、このために割り当てられたスタックには、ホームスクリーンページのためのタスクが含まれる／積層されているといえる。
【０２６８】
第１および第２有線通信部１６１、２４３は、例えば、接続されたコネクタのＵＳＢ ＳＳ ＰＨＹピンを介して、上記サブスタックに含まれるタスクに関連する画像信号をＤＰ形式の画像信号として送信する。
【０２６９】
具体的には、上記ＤＰ形式の画像信号は、互いに接続された第１および第２有線通信部１６１、２４３により、第１および第２フレキシブルプリント基板２４７、２４８に結合される配線部２４２を介して、第２ディスプレイ部２５０のデータ変換部２８２によりＭＩＰＩ形式で変換されて第２ディスプレイ部２５０に伝達される。
【０２７０】
次に、第２ディスプレイ部２５０は、このように上記サブスタックに含まれるタスクに関連する画像信号（ＭＩＰＩ形式で変換された画像信号）を受信し、対応する画面を出力する（５０８）。
【０２７１】
このように第２ディスプレイ部２５０がアクティブ状態を維持している間に、第１ディスプレイ部１５１に予め設定されたタッチが検知されると（５０９）、上記タッチに対応するタッチ信号を判断する（５１０）。ここで、上記予め設定されたタッチとは、アクティブ状態の第２ディスプレイ部２５０を非アクティブ状態に移行させるためのタッチ入力であり、例えば、第１ディスプレイ部１５１に表示された特定のアイコンに対するタッチ入力を意味する。
【０２７２】
上記タッチ信号が上記予め設定されたタッチに対応すると判断されると、移動端末機１００の制御部は、第２ディスプレイ部２５０を非アクティブ状態に移行させる制御信号を出力し、ＵＳＢ通信で、第２ディスプレイ部２５０に伝達し、第２ディスプレイ部２５０のためのサブスタックを削除する（５１１）。
【０２７３】
なお、第２ディスプレイ部２５０は、第１および第２有線通信部１６１、２４３を介して上記制御信号を受信し、それに基づいてアクティブ状態から非アクティブ状態に移行する。このような第２ディスプレイ部２５０の非アクティブ状態への移行に応答して、移動端末機１００は、第２ディスプレイ部２５０のためのサブスタックを削除するようにしてもよい。
【０２７４】
その後、第２ディスプレイ部２５０は、非アクティブ状態の駆動を維持する（５１２）。
【０２７５】
以下、図６Ａ〜図６Ｄを参照して、前述した本発明による動作の流れをメモリスタックの割り当てに関連付けて具体的に説明する。
【０２７６】
まず、図６Ａは、本発明による電子機器３００において、移動端末機１００の接続ポートがケース２００のコネクタに接続され、電子機器３００の開状態で、第１ディスプレイ部１５１はアクティブ状態を維持し、ケース２００の第２ディスプレイ部２５０は非アクティブ状態である場合を示す。
【０２７７】
移動端末機１００の接続ポートがケース２００のコネクタに接続され、第２ディスプレイ部２５０に対応する複数の抵抗が検知されると、第１および第２有線通信部１６１、２４３と配線部２４２とを介して、ケース２００の第２ディスプレイ部２５０およびプリント基板２４４に動作電流が供給される。
【０２７８】
アクティブ状態の第１ディスプレイ部１５１には、第１画面情報が表示されるようにしてもよい。ここで、上記第１画面情報の種類には何ら制限がない。例えば、上記第１画面情報は、図６Ａに示すように、第１ホームスクリーンページ６０１であってもよく、他の例では、特定のアプリケーションの実行画面、ウェブページ、設定画面など、設定に応じてまたはユーザの選択に応じて様々に変更することができる。
【０２７９】
このように、アクティブ状態の第１ディスプレイ部１５１に第１ホームスクリーンページ６０１が表示されることに関連して、図６Ｄの（ａ）に示すように、移動端末機１００のメモリ６００には、第１ディスプレイ部１５１のためのメインホームスタック６１０が割り当てられるようにしてもよい。また、上記割り当てられたメインホームスタック６１０には、第１ホームスクリーンページ６０１の表示に関連するタスクが積層されるようにしてもよい。
【０２８０】
本発明においては、アクティブ状態であるか否かによって、第１および第２ディスプレイ部１５１、２５０のためのスタックが別々に割り当ておよび除去される。
【０２８１】
上記開状態で、非アクティブ状態の第２ディスプレイ部２５０は、（ａ）第１ディスプレイ部１５１がアクティブ状態で駆動されてから所定時間経過すると、または（ｂ）第１ディスプレイ部１５１に対して予め設定されたタッチ入力、例えば特定のアイコンに対するタッチ入力が行われると、図６Ｂに示すように、アクティブ状態に移行するようにしてもよい。あるいは、図示していないが、第２ディスプレイ部２５０に対してタッチ入力が行われた場合も、第２ディスプレイ部２５０がアクティブ状態に移行するようにしてもよい。
【０２８２】
まず、図６Ｂの（ａ）に示すように、第２ディスプレイ部２５０に対応する抵抗の検知により第２ディスプレイ部２５０に動作電流が供給されている間に、電子機器３００が上記閉状態から上記開状態に移行したことが検知され、第１ディスプレイ部１５１がアクティブ状態で駆動されると、第２ディスプレイ部２５０をアクティブ状態に移行させる制御信号が第２ディスプレイ部２５０に伝達されるようにしてもよい。ここで、上記制御信号は、移動端末機１００により生成され、第１および第２有線通信部１６１、２４３と配線部２４２とを介して、第２ディスプレイ部２５０に結合されるプリント基板２４４に伝達される。
【０２８３】
また、これと同時にまたは順次、第２ディスプレイ部２５０に出力される画面に対応する画像信号も、第１および第２有線通信部１６１、２４３と配線部２４２とを介して、第２ディスプレイ部２５０に結合されるプリント基板２４４に伝達される。ここで、上記画像信号は、ＤＰ形式で送信され、データ変換部２８２により第２ディスプレイ部２５０に出力できるＭＩＰＩ形式に変換され、第２ディスプレイ部２５０に供給される。
【０２８４】
一方、第１ディスプレイ部１５１をアクティブ状態で駆動するための上記開状態の条件と、第２ディスプレイ部２５０をアクティブ状態で駆動するための上記開状態の条件と、は異なる。例えば、第２ディスプレイ部２５０をアクティブ状態で駆動するための上記開状態は、第１ディスプレイ部１５１の場合よりも、第１および第２本体２１０、２２０の挟角が大きい場合に制限してもよい。
【０２８５】
例えば、第１ディスプレイ部１５１のアクティブ状態への移行は、電子機器３００の上記開状態への検知時に行われ、第２ディスプレイ部２５０のアクティブ状態への移行は、第１ディスプレイ部１５１がアクティブ状態に移行し、その後第１および第２本体２１０、２２０の背面が互いに近づく方向にさらに相対回転した場合に行われるようにしてもよい。
【０２８６】
ここで、上記開状態で、第２ディスプレイ部２５０をアクティブ状態に移行させるための、第１および第２ディスプレイ部１５１、２５０の挟角は、予め設定されるようにしてもよく、ユーザにより変更できるようにしてもよい。
【０２８７】
また、第１ディスプレイ部１５１がアクティブ状態に移行した後に第２ディスプレイ部２５０をアクティブ状態に移行させるか否かの設定は、ユーザ入力に基づいてオン／オフになるようにしてもよい。
【０２８８】
次に、図６Ｂの（ｂ）に示すように、第２ディスプレイ部２５０に動作電流が供給されている間に、第１ディスプレイ部１５１に対して予め設定されたタッチ入力（例えば、所定のアイコン６０３に対するタッチ入力またはマルチフィンガタッチジェスチャ）が行われると、上記タッチ入力に対応する動作、すなわちアクティブ状態への移行を行わせる制御信号が、ＵＳＢ ＨＩＤ通信で移動端末機１００に送信されるようにしてもよい。
【０２８９】
ここで、上記制御信号は、タッチに関する信号であるので、ＵＳＢ ＨＩＤ通信を用いる第１および第２信号処理部１８１、２８１により、移動端末機１００に送信される。
【０２９０】
一方、図６Ｃに示すように、第２ディスプレイ部２５０がアクティブ状態で駆動されている間に、再び第１ディスプレイ部１５１に対して予め設定されたタッチ入力（例えば、所定のアイコン６０３に対するタッチ入力またはマルチフィンガタッチジェスチャ）が行われると、第２ディスプレイ部２５０が非アクティブ状態に移行する。
【０２９１】
このために、上記予め設定されたタッチ入力のタッチ信号に対応する制御信号として、第２ディスプレイ部２５０を非アクティブ状態に移行させるための制御信号が、ＵＳＢ通信で、移動端末機１００からディスプレイ部２５０に伝達される。よって、第２ディスプレイ部２５０が再び非アクティブ状態に移行し、移動端末機１００の画像信号の送信が中断される。
【０２９２】
一方、他の例として、第２ディスプレイ部２５０に動作電流が供給されている間に、第２ディスプレイ部２５０に対して予め設定されたタッチ入力（例えば、ダブルタップ）が行われると、上記予め設定されたタッチ入力に対応するタッチ信号が、タッチパネルに接続されるプリント基板２４４、第１および第２フレキシブルプリント基板２４７、２４８に結合される配線部２４２、ならびにＵＳＢ ＨＩＤ通信を用いる第１および第２信号処理部１８１、２８１を介して、移動端末機１００に送信される。
【０２９３】
すると、移動端末機１００の制御部１８０は、上記送信されたタッチ信号に基づいて、第２ディスプレイ部２５０をアクティブにする制御信号を、移動端末機１００の接続ポートに接続されるコネクタを介して、第２ディスプレイ部２５０および第２ディスプレイ部２５０に結合されるプリント基板に送信する。ここで、上記制御信号は、タッチに関する信号であるので、ＵＳＢ ＨＩＤ通信を用いる第１および第２信号処理部１８１、２８１により、移動端末機１００に送信される。
【０２９４】
ここで、上記タッチに関する信号は、初期にはＵＳＢ２．０通信（以下、「第１ＵＳＢ通信」という）で送受信され、移動端末機１００がホストモードで動作すると（すなわち、抵抗Ｒａ、Ｒｄが検知されると）、切り替えられたＵＳＢ ＨＩＤ通信（以下、「第２ＵＳＢ通信」という）で送信される。
【０２９５】
また、上記制御信号は、ＡＵＸ形式であり、第１および第２有線通信部１６１、２４３と配線部２４２とを介して第２ディスプレイ部２５０に伝達される。ここで、上記ＡＵＸ形式の制御信号は、データ変換部２８２を介して第２ディスプレイ部２５０に伝達される。
【０２９６】
このように第２ディスプレイ部２５０がアクティブ状態に移行すると、第２ディスプレイ部２５０には、第２画面情報、例えば第２ホームスクリーンページ６０２が表示されるようにしてもよい。
【０２９７】
このために、第２ディスプレイ部２５０に出力される第２ホームスクリーンページに対応する画像信号が、第１および第２有線通信部１６１、２４３と配線部２４２とを介して、第２ディスプレイ部２５０に結合されるプリント基板２４４に伝達される。ここで、上記画像信号は、ＤＰ形式で送信され、データ変換部２８２により第２ディスプレイ部２５０に出力できるＭＩＰＩ形式に変換され、第２ディスプレイ部２５０に供給される。
【０２９８】
一方、第２ディスプレイ部２５０をアクティブ状態に移行させるための制御信号と、第２ディスプレイ部２５０に出力される画面に対応する画像信号とは、第１および第２有線通信部１６１、２４３において異なるコンタクトピンを介して送信される。
【０２９９】
このようにアクティブ状態の第１ディスプレイ部１５１に第１ホームスクリーンページ６０１が表示されることに関連して、図６Ｄの（ｂ）に示すように、メモリ６００には、第１ディスプレイ部１５１のためのメインホームスタック６１０に加えて、第２ディスプレイ部２５０のためのサブホームスタック６２０が割り当てられる。
【０３００】
ここで、サブホームスタック６２０には、第１および第２有線通信部１６１、２４３と配線部２４２とを介して、第２ディスプレイ部２５０に結合されるプリント基板２４４および第２ディスプレイ部２５０に伝達されるＤＰ形式の画像信号に関連するタスクが積層される。
【０３０１】
メインホームスタック６１０とサブホームスタック６２０とは独立して制御され、第２ディスプレイ部２５０において特定のアプリケーションに対応するタスクが実行されると、図６Ｄの（ｃ）に示すように、サブホームスタック６２０に加えてサブアプリスタック６３０がさらに割り当てられ、上記特定のアプリケーションに対応するタスクが積層される。
【０３０２】
移動端末機１００の制御部１８０は、サブアプリスタック６３０に積層されたタスクに対応するＤＰ形式の画像信号が、第１および第２有線通信部１６１、２４３と配線部２４２とを介して、第２ディスプレイ部２５０に結合されるプリント基板２４４と第２ディスプレイ部２５０とに伝達されるようにしてもよい。
【０３０３】
ここで、上記伝達されるＤＰ形式の画像信号は、第２ディスプレイ部２５０に出力できるように、データ変換部２８２によりＭＩＰＩ形式で変換され、第２ディスプレイ部２５０に伝達される。よって、第２ディスプレイ部２５０には、サブアプリスタック６３０に積層されたタスクに対応する画面情報が表示される。
【０３０４】
このように、本発明による電子機器３００においては、第２ディスプレイ部２５０に接続されるプリント基板に送信される制御信号と、第２ディスプレイ部２５０に表示される画面情報に対応する画像信号とが、上記コネクタの異なるコンタクトピンを介して送信される。
【０３０５】
一方、図６Ｃに示すように、第２ディスプレイ部２５０が非アクティブ状態になると、上記メモリに割り当てられたサブスタック（例えば、サブホームスタック、サブアプリスタック）が上記メモリから削除される。
【０３０６】
一方、図示していないが、第２ディスプレイ部２５０がアクティブになっている状態で、移動端末機１００の接続ポートとケース２００のコネクタとの接続が解除され、第１および第２有線通信部１６１、２４３の有線通信経路が解除されると、駆動電流の供給が遮断され、第２ディスプレイ部２５０が非アクティブ状態に移行する。
【０３０７】
ここで、移動端末機１００の接続ポートとケース２００のコネクタとが再び接続されると、第２ディスプレイ部２５０が再びアクティブ状態に移行し、上記接続が解除される前に第２ディスプレイ部２５０に表示されていた画面情報が再び出力される。
【０３０８】
以下、図７Ａ〜図７Ｃおよび図８Ａ〜図８Ｃを参照して、移動端末機１００と第２ディスプレイ部２５０とで異なるアプリケーションを実行するための画面制御の例と、それによるマルチスタックの構造と、について説明する。
【０３０９】
まず、図７Ａに示すように、第１および第２ディスプレイ部１５１、２５０がどちらもアクティブになっている状態で、第１ディスプレイ部１５１には、第１ホームスクリーンページ７０１が表示され、第２ディスプレイ部２５０には、それとは異なる第２ホームスクリーンページ７０２が表示されるようにすることができる。
【０３１０】
この場合、図８Ａに示すように、移動端末機１００のメモリには、第１ディスプレイ部１５１のための第１メインスタック８１０、および第２ディスプレイ部２５０のための第１サブスタック８２０がそれぞれ生成される。
【０３１１】
なお、第１メインスタック８１０には第１ホームスクリーンページ７０１に関連するタスク８１１が挿入され、第１サブスタック８２０には第２ホームスクリーンページ７０２に関連するタスク８２１が挿入され、それぞれ管理される。
【０３１２】
また、図７Ａに示すように、第１および第２ホームスクリーンページ７０１、７０２が表示された状態で、第１ディスプレイ部１５１に表示された第１ホームスクリーンページ７０１に含まれる特定のアプリケーションのアイコン（または、ウィジェットなど）７１０に対してタッチ入力が行われると、それに基づいて、図７Ｂに示すように、当該アプリケーションの実行に対応する第１画面情報７０３が第１ディスプレイ部１５１に表示される。
【０３１３】
ここで、上記第１画面情報として、メッセージ対話画面を例示しているが、ホームスクリーンページからアクセスできるものであれば、上記第１画面情報の種類には何ら制限がない。
【０３１４】
一方、移動端末機１００の制御部は、第１ホームスクリーンページ７０１のための第１メインスタック８１０が維持されている間に、第１ホームスクリーンページ７０１を用いて第１アプリケーションが実行されたことに基づいて、上記第１アプリケーションに関連するタスクが挿入される第２メインスタック８３０（図８Ｂ）が生成されるようにしてもよい。上記生成された第２メインスタック８３０には、第１画面情報７０３に関連するタスクが挿入される。
【０３１５】
また、一例においては、図８Ｂに示すように、第２メインスタック８３０に加えて、最近実行されたアプリケーションを別途管理するための第３メインスタック８４０がさらに生成されるようにしてもよい。ここで、上記第３メインスタックは、第１ディスプレイ部１５１で実行されているタスクをアプリケーション単位で処理および管理するためのスタックとして定義される。
【０３１６】
また、第３メインスタック８４０は、第２メインスタック８３０と共に生成または削除されるようにしてもよい。ただし、第２メインスタック８３０と第３メインスタック８４０とには異なるタスクが含まれるようにしてもよい。
【０３１７】
また、図７Ｂに示すように、第２ディスプレイ部２５０に表示された第２ホームスクリーンページ７０２に含まれる特定のアプリケーションのアイコン（または、ウィジェットなど）７２０に対してタッチ入力が行われると、それに基づいて、図７Ｃに示すように、当該アプリケーションの実行に対応する第２画面情報７０４が第２ディスプレイ部２５０に表示される。
【０３１８】
ここで、上記第２画面情報として、動画像画面を例示しているが、ホームスクリーンページからアクセスできるものであれば、上記第２画面情報の種類には何ら制限がない。
【０３１９】
一方、移動端末機１００の制御部は、第２ディスプレイ部２５０に表示された第２ホームスクリーンページ７０２のための第１サブスタック８２０が維持されている間に、第２ホームスクリーンページ７０２を用いて第２アプリケーションが実行されたことに基づいて、上記第２アプリケーションに関連するタスクが挿入される第２サブスタック８５０（図８Ｃ）が生成されるようにしてもよい。上記生成された第２サブスタック８５０には、第２画面情報７０４に関連するタスクが挿入される。
【０３２０】
また、一例においては、図８Ｃに示すように、第２サブスタック８５０に加えて、最近実行されたアプリケーションを別途管理するための第３サブスタック８６０がさらに生成されるようにしてもよい。ここで、上記第３サブスタックは、第２ディスプレイ部２５０で実行されているタスクをアプリケーション単位で処理および管理するためのスタックとして定義される。
【０３２１】
また、第３サブスタック８６０は、第２サブスタック８５０と共に生成または削除されるようにしてもよい。ただし、第２サブスタック８５０と第３サブスタック８６０とには異なるタスクが含まれるようにしてもよい。
【０３２２】
次に、第１ディスプレイ部１５１には、第２メインスタック８３０に挿入されたタスクに対応する第１画面情報が表示され、第２ディスプレイ部２５０には、第２サブスタック８５０に挿入されたタスクに対応する第２画面情報が表示される。
【０３２３】
このために、移動端末機１００の制御部１８０は、上記第２画面情報に対応する画像信号を、第１および第２有線通信部１６１、２４３と配線部２４２とを介して、第２ディスプレイ部２５０に送信する。第２ディスプレイ部２５０は、受信したＤＰ形式の画像信号を、データ変換部２８２によりＭＩＰＩ形式の画像信号に変換し、その後当該画像信号に対応する第２画面情報を表示する。
【０３２４】
一方、第３メインスタック８４０の構造は、第２メインスタック８３０の構造に関連し、第３サブスタック８６０の構造は、第２サブスタック８５０の構造に関連する。しかしながら、第２および第３メインスタック８３０、８４０の生成または削除は、第２および第３サブスタック８５０、８６０の生成または削除に影響を与えず、それぞれ別途管理される。
【０３２５】
また、特定のアプリケーションが実行された後に実行デプスのみ変更された場合は、第２メインスタック８３０または第２サブスタック８５０に含まれるタスクのみ変更され、最近実行されたアプリスタックに含まれるタスクは、変動せずに維持される。
【０３２６】
さらに、移動端末機１００において駆動電流の供給が遮断されるか、または電子機器３００が開状態から閉状態に移行した場合は、第１〜第３サブスタック８２０、８５０、８６０が従属的に削除されるようにしてもよい。
【０３２７】
以下、図９Ａおよび図９Ｂと図１０Ａおよび図１０Ｂとを参照して、移動端末機１００および第２ディスプレイ部２５０に拡張された１つの画像を表示するための動作とそれによるマルチスタックの構造とについて説明する。
【０３２８】
まず、図９Ａに示すように、電子機器３００の第１および第２ディスプレイ部１５１、２５０がどちらもアクティブになっており、第１ディスプレイ部１５１に上記第１画面情報として特定の画像９０１が表示され、第２ディスプレイ部２５０に上記第２画面情報として特定のアプリケーションの実行画面（例えば、動画像再生画面）が表示された状態で、上記第１画面情報または上記第２画面情報が第１および第２ディスプレイ部１５１、２５０全体に１つの画面として拡張表示されるように制御することができる。
【０３２９】
このために、移動端末機１００の制御部は、第１ディスプレイ部１５１に表示された第１画面情報のサイズを拡張するための入力の受信を検知するようにしてもよい。例えば、移動端末機１００の制御部は、第１ディスプレイ部１５１に表示された特定の画像９０１の一領域に表示されたサイズ拡張のための実行アイコン９１０に対するタッチ入力を検知するようにしてもよい。
【０３３０】
よって、移動端末機１００の制御部は、第２メインスタック１０２０（図１０Ａ）に含まれる上記第１画面情報に対応するタスク１０２２を第２サブスタック１０５０に挿入するように、メモリ１７０を制御するようにしてもよい。よって、図１０Ｂに示すように、第２および第３メインスタック１０２０、１０３０に積層された特定の画像９０１に関連するタスク１０２２、１０３２が第２および第３サブスタック１０５０、１０６０にも挿入される。つまり、同一のタスク１０５２、１０６２が第２および第３サブスタック１０５０、１０６０の最上位に積層される。
【０３３１】
また、移動端末機１００の制御部は、第１ディスプレイ部１５１に表示された第１画面情報９０１、すなわち特定の画像のサイズを拡張し、上記拡張された第１画面情報の第１部分は、第１ディスプレイ部１５１に表示し、上記拡張された第１画面情報の上記第１部分を除く第２部分は、第２ディスプレイ部２５０に表示されるように、上記拡張された第１画面情報の第２部分に対応する画像信号を第１および第２有線通信部１６１、２４３と配線部２４２とを介して第２ディスプレイ部２５０に送信するようにしてもよい。
【０３３２】
一方、図９Ｂに示すように、第１および第２ディスプレイ部１５１、２５０にわたって１つの拡張された画像９０１ａ、９０１ｂが表示された場合、第２ディスプレイ部２５０（または、第１ディスプレイ部１５１）には、上記拡張された画像を元に戻すための実行アイコン９２０が生成されるようにしてもよい。
【０３３３】
移動端末機１００の制御部は、実行アイコン９２０に対してタッチ入力が行われると、上記拡張された第１画面情報のサイズを縮小し、元のサイズの上記第１画面情報を第１ディスプレイ部１５１にのみ表示する。
【０３３４】
また、移動端末機１００の制御部は、第２および第３サブスタック１０５０、１０６０から上記第１画面情報に対応するタスク１０５２、１０６２を削除し、それにより、その前に表示されていた上記第２画面情報に対応する画像信号を、第１および第２有線通信部１６１、２４３と配線部２４２とを介して、第２ディスプレイ部２５０に送信する。
【０３３５】
以下、図１１Ａ〜図１１Ｄと図１２Ａ〜図１２Ｃとを参照して、移動端末機１００および第２ディスプレイ部２５０のいずれか一方から他方に画面を転送するための動作の例とそれによるマルチスタックの構造とについて説明する。
【０３３６】
まず、図１１Ａおよび図１１Ｂと図１２Ａおよび図１２Ｂとを参照して、第１ディスプレイ部１５１に表示された第１画面情報１１０１、例えばメッセージ対話画面を第２ディスプレイ部２５０に転送する例について説明する。
【０３３７】
図１１Ａに示すように、第１および第２ディスプレイ部１５１、２５０に異なる画面情報、例えば第１画面情報１１０１および第２画面情報１１０２がそれぞれ表示された状態で、第１ディスプレイ部１５１に対して予め設定されたタッチジェスチャが行われると、第１ディスプレイ部１５１に表示された第１画面情報１１０１を第２ディスプレイ部２５０に移動させるようにしてもよい。
【０３３８】
ここで、画面情報を移動させるとは、タスクを移動させるのと同様の意味で用いられる。また、上記予め設定されたタッチジェスチャは、第１ディスプレイ部１５１から第２ディスプレイ部２５０の方向にドラッグされる、第１ディスプレイ部１５１に対して行われるマルチフィンガタッチジェスチャ（例えば、スリーフィンガタッチジェスチャ）であり得る。
【０３３９】
よって、第１ディスプレイ部１５１に第１画面情報１１０１として表示されていたメッセージ対話画面が、第２ディスプレイ部２５０に表示される。なお、当該メッセージ対話画面に関連して送受信される新しいメッセージも、第２ディスプレイ部２５０に表示されたメッセージ対話画面１１０１’に表示される。
【０３４０】
このために、移動端末機１００の制御部は、第１画面情報１１０１に関連するタスクに対応する画像信号を、第１および第２有線通信部１６１、２４３と配線部２４２とを介して、第２ディスプレイ部２５０に送信する。
【０３４１】
また、第１ディスプレイ部１５１には、バックグラウンドで実行されていたアプリケーションのうち、第１画面情報１１０１の下位にレイヤされた第３画面情報１１０３が表示される。
【０３４２】
なお、これに関するスタックの構造について説明すると、図１２Ａにおいて第２メインスタック１２２０および第３メインスタック１２３０の上位に積層されたタスクが削除され、削除されたタスクが第２サブスタック１２５０および第３サブスタック１２６０にそれぞれ挿入される。よって、第２サブスタック１２５０および第３サブスタック１２６０には、第１画面情報１１０１、すなわち、メッセージ対話画面に関連するタスク１２５２、１２６２が新たに挿入される。このように１つのスタックから削除されたタスクが他のスタックに挿入されることを、「タスクの移動」と定義する。
【０３４３】
次に、図１１Ｃおよび図１１Ｄと図１２Ｂおよび図１２Ｃとを参照して、第２ディスプレイ部２５０に表示された第２画面情報１１０２、例えば動画像再生画面を第２ディスプレイ部２５０に転送する例について説明する。
【０３４４】
図１１Ｃに示すように、第１および第２ディスプレイ部１５１、２５０に異なる画面情報、例えば第１画面情報１１０１および第２画面情報１１０２がそれぞれ表示された状態で、第２ディスプレイ部２５０に対して予め設定されたタッチジェスチャが行われると、第２ディスプレイ部２５０に表示された第２画面情報１１０２を第１ディスプレイ部１５１に移動させるようにしてもよい。
【０３４５】
ここで、画面情報を移動させるとは、タスクを移動させるのと同様の意味で用いられる。また、上記予め設定されたタッチジェスチャは、第２ディスプレイ部２５０から第１ディスプレイ部１５１の方向にドラッグされる、第２ディスプレイ部２５０に対して行われるマルチフィンガタッチジェスチャ（例えば、スリーフィンガタッチジェスチャ）であり得る。
【０３４６】
よって、第２ディスプレイ部２５０に第２画面情報１１０２として表示されていた動画像再生画面が、第１ディスプレイ部１５１に表示される。なお、当該動画像再生画面１１０２’は、中断されることなく第１ディスプレイ部１５１においても継続して再生される。
【０３４７】
また、第２ディスプレイ部２５０には、バックグラウンドで実行されていたアプリケーションのうち、第２画面情報１１０２の下位にレイヤされた他の画面情報が表示される。ここで、他の画面情報がない場合、第２ホームスクリーンページ１１０４が現れる。
【０３４８】
なお、これに関するスタックの構造について説明すると、図１２Ｂにおいて第２サブスタック１２５０および第３サブスタック１２６０の上位に積層されたタスクが削除され、削除されたタスクが第２メインスタック１２２０および第３メインスタック１２３０にそれぞれ挿入される。
【０３４９】
よって、図１２Ｃに示すように、第２メインスタック１２２０および第３メインスタック１２３０には、第２画面情報１１０２、すなわち動画像再生画面に関連するタスク１２２３、１２３３が、既存の第１画面情報１１０１に関連するタスクの上位に挿入される。すなわち、第２および第３サブスタックから第２および第３メインスタック１２２０、１２３０にタスクが移動する。
【０３５０】
一方、図１１Ｄに示すように、画面移動後、下位にレイヤされた他のアプリケーションの実行画面がない場合、第２ディスプレイ部２５０には、ホームスクリーンページ１１０４が表示される。よって、図１２Ｃに示すように、第２および第３サブスタックがメモリから削除され、第２ディスプレイ部２５０のためのスタックは、第１サブスタック１２４０のみ残る。
【０３５１】
このために、移動端末機１００の制御部は、第２サブスタックに含まれるタスクを削除した後、第２サブスタックに含まれるタスクがないと判断されると、第２サブスタックを削除する。そして、第１サブスタックに含まれるタスクに対応する第２ホームスクリーンページが第２ディスプレイ部２５０に表示されるように、第２ホームスクリーンページに対応する画像信号を、第１および第２有線通信部１６１、２４３と配線部２４２とを介して、第２ディスプレイ部２５０に送信する。
【０３５２】
また、図示していないが、第１および第２ディスプレイ部１５１、２５０に表示された第１および第２画面情報の入れ替えも可能である。この場合、第１ディスプレイ部１５１のために生成されたメインスタックの上位に含まれるタスクと、第２ディスプレイ部２５０のために生成されたサブスタックの上位に含まれるタスクと、がそれぞれ削除され、その後互いに交差（クロス）して挿入される。すなわち、第１画面情報に対応するタスクはサブスタックに移動し、それと同時に第２画面情報に対応するタスクはメインスタックに移動する。
【０３５３】
以下、図１３Ａ〜図１３Ｃと図１４Ａ〜図１４Ｃとを参照して、移動端末機１００に表示された画面を第２ディスプレイ部２５０がミラーリングした状態で、異なる実行デプスを一度に確認するための動作とそれによるマルチスタックの構造とについて説明する。
【０３５４】
図１３Ａに示すように、電子機器３００の第１および第２ディスプレイ部１５１、２５０にそれぞれ第１および第２画面情報１３０１、１３０２が表示された状態で、移動端末機１００の制御部は、第２ディスプレイ部２５０が第１ディスプレイ部１５１に表示された第１画面情報１３０１、例えばメッセージリスト画面をミラーリングするための入力を受信したことを検知するようにしてもよい。
【０３５５】
例えば、図１３Ａに示すように、第１ディスプレイ部１５１の一領域にミラーリング動作の実行のためのアイコン１３１０が表示され、アイコン１３１０に対するタッチ入力に基づいてミラーリング動作を行うようにしてもよい。
【０３５６】
具体的には、アイコン１３１０に対してタッチ入力が行われると、上記タッチ入力に対応するタッチ信号がミラーリング動作を行うためのタッチ入力であるか否かを判断し、上記判断に基づいて、第１画面情報１３０１に対応する画像信号を、第１および第２有線通信部１６１、２４３と配線部２４２とを介して、第２ディスプレイ部２５０に送信する。そして、第２ディスプレイ部２５０は、受信したＤＰ形式の画像信号をデータ変換部２８２により第２ディスプレイ部２５０に出力できるＭＩＰＩ形式の信号に変換し、図１３Ｂに示すように、第１画面情報１３０１と同じ画面情報１３０１’を表示する。
【０３５７】
すなわち、画面情報１３０１’は、第１画面情報１３０１に対応するアプリケーションのアクティビティをそのままミラーリングした画面であり、その実行デプスも第１画面情報１３０１と同一である。
【０３５８】
これに関して、図１４Ａおよび図１４Ｂを参照すると、第２および第３メインスタック１４２０、１４３０の上位に積層された第１画面情報に関連するタスク１４２２、１４３２がコピー（copy）され、第２ディスプレイ部２５０のために生成された第２および第３サブスタック１４５０、１４６０にペースト（paste）される。よって、第２および第３メインスタック１４２０、１４３０の上位と、第２および第３サブスタック１４５０、１４６０の上位と、に同一のタスク１４２２、１４３２、１４５２、１４６２が積層された構造を有することになる。
【０３５９】
その後、移動端末機１００の制御部は、第１ディスプレイ部１５１に表示された第１画面情報１３０１に対するタッチ入力に基づいて、第１画面情報１３０１に対応する第１アプリケーションの実行デプスを変更するようにしてもよい。図１３Ｂにおいては、実行デプスが１レベル増加した場合を示すが、他の例では、実行デプスが１レベル減少するか、または複数レベル増加もしくは減少するように変更し得る。
【０３６０】
移動端末機１００の制御部は、上記変更された実行デプスに対応する第１アプリケーションの第３画面情報１３０３を第１ディスプレイ部１５１に表示する。
【０３６１】
例えば、図１３Ｂおよび図１３Ｃに示すように、第１ディスプレイ部１５１に表示されたメッセージリスト画面１３０１に含まれる複数の項目のうちの特定の項目に対してタッチ入力が行われると、第１ディスプレイ部１５１に表示されたメッセージリスト画面１３０１は、上記タッチ入力が行われた項目に対応する特定のメッセージ対話画面１３０３に切り替えられる。このとき、第２ディスプレイ部２５０にミラーリングされたメッセージリスト画面１３０１’の表示状態は維持される。
【０３６２】
これに関して、図１４Ｃを参照すると、第２および第３サブスタック１４５０、１４６０にミラーリングされた第１画面情報１３０１’に関連するタスクが維持されている間に、第２メインスタック１４２０には、実行デプスが変更された第３画面情報１３０３に関連するタスク１４２３が新たに挿入される（または、既存の第１画面情報に関連するタスク１４２２のアクティビティのみ変更されるようにしてもよい）。この場合、アプリケーションの変更ではないので、第３メインスタック１４３０は、既存のスタック構造を維持する。
【０３６３】
以下、図１５Ａ〜図１５Ｃと図１６Ａ〜図１６Ｃとを参照して、移動端末機１００の最近実行されたアプリケーションのリスト画面を用いて、特定のアプリケーションの実行画面を選択的に第２ディスプレイ部２５０に転送する動作とそれによるマルチスタックの構造とについて説明する。
【０３６４】
図１５Ａに示すように、電子機器３００の第１および第２ディスプレイ部１５１、２５０がアクティブになっている状態で、所定の入力に基づいて、少なくとも１つのディスプレイ部、例えば第１ディスプレイ部１５１に最近実行されたアプリケーションのリスト画面１５０１が表示されるようにすることができる。リスト画面１５０１に含まれる複数のアプリケーションの実行画面の表示順序は、第３メインスタックの積層順序に対応するようにしてもよい。
【０３６５】
このために、移動端末機１００のメモリには、第２メインスタックに含まれるタスクがアプリケーション単位で構成される実行タスクを含む第３メインスタックと、第２サブスタックに含まれるタスクがアプリケーション単位で構成される実行タスクを含む第３サブスタックと、が生成されるようにしてもよい。
【０３６６】
すなわち、第２メインスタックの生成時に第３メインスタックが共に生成され、第２サブスタックの生成時に第３サブスタックが生成されるようにしてもよい。
【０３６７】
また、移動端末機１００の制御部は、第１ディスプレイ部１５１に第３メインスタック１６３０（図１６Ａ）に含まれる実行タスクに対応するリスト画面１５０１が表示された状態で、タッチ入力に基づいてリスト画面１５０１から選択された特定のアプリケーションの実行画面１５１０を第２ディスプレイ部２５０に移動させるための予め設定された入力を検知するようにしてもよい。
【０３６８】
ここで、上記予め設定された入力とは、例えば、マルチフィンガタッチ入力により選択された特定のアプリケーションの実行画面１５１０を第２ディスプレイ部２５０に向かってドラッグするタッチジェスチャを意味する。
【０３６９】
よって、前述した画面転送動作と同様に、選択された特定のアプリケーションの実行画面１５１０が第１ディスプレイ部１５１から第２ディスプレイ部２５０に移動する。このために、移動端末機１００の制御部は、選択された特定のアプリケーションの実行画面１５１０に対応する画像信号を、第１および第２有線通信部１６１、２４３と配線部２４２とを介して、第２ディスプレイ部２５０に送信するようにしてもよい。
【０３７０】
一方、選択された特定のアプリケーションの実行画面１５１０が第３メインスタックの積層順序と必ずしも一致するわけではないので、移動端末機１００は、選択された特定のアプリケーションの実行画面１５１０に関連するタスクの移動のために、スタックの整列を行うようにしてもよい。
【０３７１】
具体的には、図１６Ａおよび図１６Ｂに示すように、第３メインスタック１６３０から第２および第３サブスタック１６５０、１６６０に移動させるタスクとして、スタックの中間に位置する特定のタスク（ＡＴ３）が選択された場合、特定のタスク（ＡＴ３）を削除するためには、その上位に積層されたタスク（ＡＴ４）１６３４が先に削除されなければならない（１）。その後、特定のタスク（ＡＴ３）１６３３が削除される（２）。
【０３７２】
ここで、第３メインスタック１６３０において先に削除されたタスク（ＡＴ４）１６３４は、一時（臨時）スタック（図示せず）に移動する。また、特定のタスク（ＡＴ３）１６３３は、新たに生成された第２および第３サブスタック１６５０、１６６０に移動する。このように特定のタスク（ＡＴ３）１６３３が削除されて移動すると、一時スタックに記憶されたタスク（ＡＴ４）１６３４は、再び第３メインスタック１６３０において上位に積層される（３）。
【０３７３】
このように第３メインスタック１６３０の積層順序が変更された場合、スタックの整列が行われたといえる。一方、第３メインスタック１６３０におけるスタックの整列と同時にまたはその後、第２メインスタック１６２０におけるスタックの整列が同様に行われる。
【０３７４】
このように、移動端末機１００の制御部は、第１ディスプレイ部１５１のための第２および第３メインスタック１６２０、１６３０からの移動のために選択されたアプリケーションに関連するタスク（ＡＴ３）１６２３、１６３３が削除されるように、第２および第３メインスタック１６２０、１６３０の整列を行う。また、第２および第３サブスタック１６５０、１６６０を生成し、上記選択されたアプリケーションに関連するタスクを第２および第３サブスタック１６５０、１６６０に挿入する。
【０３７５】
よって、図１５Ｂに示すように、第２ディスプレイ部２５０には、上記選択されたアプリケーションに対応する実行画面１５０３、例えばカレンダ画面が表示される。
【０３７６】
このために、移動端末機１００の制御部は、上記選択されたアプリケーションの実行画面が第２ディスプレイ部２５０に出力されるように、当該実行画面に対応する画像信号を、第１および第２有線通信部１６１、２４３と配線部２４２とを介して、第２ディスプレイ部２５０に送信するようにしてもよい。なお、第１ディスプレイ部１５１に表示されたリスト画面１５０１’から、第２ディスプレイ部２５０に移動した実行画面１５０３の項目は、削除されるようにしてもよい。
【０３７７】
また、移動端末機１００の制御部は、第２ディスプレイ部２５０に上記選択されたアプリケーションの実行画面１５０３が表示されている間に、第１ディスプレイ部１５１に表示されたリスト画面１５０１’のうちのいずれかの実行画面１５２０、例えば、最も奥に表示された実行画面１５２０に対してタッチ入力が行われると、上記タッチ入力に応答して、上記タッチ入力が行われた実行画面１５２０に関連するタスクが第２および第３メインスタック１６２０、１６３０の最上位に位置するように整列を行うようにしてもよい。
【０３７８】
具体的には、移動端末機１００の制御部は、上記選択された実行画面１５２０に関連するタスク（ＡＴ１）１６３１が第３メインスタック１６３０の最上位に位置するように、タスク１６３１より上位のタスク１６３２、１６３４を積層順（すなわち、ＡＴ４、ＡＴ２の順）に削除し（１）、第１一時スタック（図示せず）に移動させる。これは、上記選択された実行画面１５２０に関連するタスク（ＡＴ１）１６３１の順番になるまで繰り返し行われる。
【０３７９】
また、移動端末機１００の制御部は、上記選択された実行画面１５２０に関連するタスク（ＡＴ１）１６３１を、上記第１一時スタックとは区別される第２一時スタックに移動させる。
【０３８０】
次に、上記第１一時スタックに記憶されたタスク１６３２、１６３４をどちらも再び第３メインスタック１６３０に移動させ（２）、その後上記第１一時スタックを削除する。上記第１一時スタックが削除されると、上記第２一時スタックに記憶されたタスク（ＡＴ１）１６３１を取り出し、第３メインスタック１６３０の最上位に挿入する（３）。
【０３８１】
このように第３メインスタック１６３０におけるスタックの整列を行った後、第２メインスタック１６２０におけるスタックの整列が繰り返し行われる。
【０３８２】
以下、図１７Ａおよび図１７Ｂを参照して、本発明による電子機器３００における閉状態におけるイベント発生時の通知情報の出力および開状態における即時確認動作の例について具体的に説明する。
【０３８３】
前述したように、本発明による電子機器３００の第１および第２ディスプレイ部１５１、２５０は、閉状態および開状態のいずれかの状態にある。上記閉状態は、第１および第２本体２１０、２２０の相対回転により上記開状態に切り替えられる。
【０３８４】
上記閉状態では、第１および第２ディスプレイ部１５１、２５０が互いに遮蔽され、非アクティブ状態を維持する。よって、上記閉状態では、特定の情報の確認が困難である。
【０３８５】
よって、本発明による電子機器３００は、上記閉状態で移動端末機１００にインストールされたアプリケーションに関連するイベントが発生した場合、上記イベントに関する情報を上記閉状態でも確認できるように、第２本体２２０の前側に第３ディスプレイ部２５１ａを備えてもよい。
【０３８６】
第３ディスプレイ部２５１ａは、第２本体２２０の前側の上部に所定の大きさを有するように備えられてもよく、タッチセンサとレイヤ構造をなすようにしてもよい。また、第３ディスプレイ部２５１ａは、一般モードでは所定の情報が表示され、イベントの発生による動作モードではイベントに関する情報が表示されるように動作するようにしてもよい。
【０３８７】
このために、移動端末機１００は、ケース２００の第１本体２１０に接続された状態で、第３ディスプレイ部２５１ａに対応する第３抵抗を検出し、上記閉状態でも第３ディスプレイ部２５１ａに駆動電流を供給するようにしてもよい。
【０３８８】
また、移動端末機１００の制御部は、上記閉状態で移動端末機１００にインストールされた少なくとも１つのアプリケーションに関連するイベントの発生が検知されると、第３ディスプレイ部２５１ａに上記イベントに関する情報を出力するための信号を、第１および第２有線通信部１６１、２４３と第３ディスプレイ部２５１ａのプリント基板に接続される配線部（図示せず）とを介して、第３ディスプレイ部２５１ａに送信するようにしてもよい。
【０３８９】
その後、電子機器３００が上記閉状態から上記開状態に移行すると、移動端末機１００の制御部は、上記閉状態から上記開状態に移行したことに基づいて、図１７Ｂに示すように、第２ディスプレイ部２５０をアクティブにし、アクティブになった第２ディスプレイ部２５０に上記イベントに対応する画面情報１７０２、すなわちメッセージリスト画面が出力されるように、対応する画像信号を第１および第２有線通信部と配線部とを介して第２ディスプレイ部２５０に送信するようにしてもよい。
【０３９０】
また、移動端末機１００の制御部は、上記閉状態から上記開状態に移行したことに基づいて、第１ディスプレイ部１５１に表示された第１ホームスクリーンページ１７０１に関連するタスクが含まれる第１メインスタックと、第２ディスプレイ部２５０に表示された上記イベントに対応する画面情報１７０２に関連するタスクが含まれる第２および第３サブスタックと、第２ホームスクリーンページ（図示せず）に関連するタスクが含まれる第１サブスタックと、を生成するようにしてもよい。
【０３９１】
以下、図１８Ａ〜図１８Ｄと図１９Ａおよび図１９Ｂとを参照して、本発明による電子機器３００の開状態における第１本体と第２本体との相対回転の程度に応じた様々な動作モードの例について具体的に説明する。
【０３９２】
まず、図１８Ａ〜図１８Ｄに示すように、電子機器３００の第１および第２ディスプレイ部１５１、２５０が閉状態から開状態に移行すると、上記開状態における第１本体と第２本体との相対回転の程度に応じた状態の変化を検知し、異なる表示モードを行うようにしてもよい。
【０３９３】
具体的には、図１８Ａに示すように第１および第２本体が１８０度をなす状態で第２本体２２０の後側が第１本体２１０の後側に向かって相対回転して折り曲げられた状態が検知されると、図１８Ｂに示すように、第２ディスプレイ部２５０に表示された画面情報１８０２が縦表示モードから横表示モードに変更されるようにしてもよい。
【０３９４】
また、上記折り曲げられた状態で第２本体２２０の後側が第１本体２１０の後側に向かってさらに相対回転して、図１８Ｃに示すように、電子機器３００の連結部２３０が最上端となり、連結部２３０に対向する方向に位置する第１および第２本体２１０、２２０の側面が床面に位置するように立てられた状態が検知されると、第２ディスプレイ部２５０に表示された画面情報１８０２’の横表示モードを維持すると共に、第１ディスプレイ部１５１に表示された画面情報１８０１も縦表示モードから横表示モードに変更されるようにしてもよい。
【０３９５】
そして、上記折り曲げられた状態で第２本体２２０の後側が第１本体２１０の後側に向かってさらに相対回転して第２本体２２０の後側が第１本体２１０の後側を完全に覆ったフリップ状態が検知されると、図１８Ｄに示すように、第２ディスプレイ部２５０に表示された画面情報が再び縦表示モードに変更されるようにしてもよい。
【０３９６】
なお、上記例は、第１および第２ディスプレイ部１５１、２５０に表示された画面の種類に応じて様々に変形することができる。
【０３９７】
次に、図１９Ａおよび図１９Ｂに示すように、第２ディスプレイ部２５０がアクティブになっている状態において、第１および第２本体が１８０度をなす状態で第１および第２本体２１０、２２０が第１および第２ディスプレイ部１５１、２５０の前面が互いに近づく方向に相対回転したことに応答して、第２ディスプレイ部２５０に表示された画面情報の種類に応じて第１ディスプレイ部１５１に異なる種類の画面情報が表示されるようにしてもよい。
【０３９８】
例えば、図１９Ａに示すように、第２ディスプレイ部２５０にメッセージ出力領域およびメッセージ入力領域を含むメッセージ画面１９０２が表示された状態で、第１および第２本体２１０、２２０が第１および第２ディスプレイ部１５１、２５０の前面が互いに近づく方向に相対回転したことが検知され、第１ディスプレイ部１５１が配置された第１本体２１０の後側が床面に位置するように姿勢が変化したことが検知されると、上記メッセージ出力領域は第２ディスプレイ部２５０に表示され、上記メッセージ入力領域は第１ディスプレイ部１５１に表示されるように、動作モードを変更するようにしてもよい。
【０３９９】
一方、図示していないが、第２ディスプレイ部２５０に動画像画面が表示された状態で、図１９Ｂのような姿勢の変化が検知されると、第１ディスプレイ部１５１には、第２ディスプレイ部２５０に再生中の動画像画面に関連する他の推奨（推薦）動画像のリストが提供されるようにしてもよい。
【０４００】
なお、このような開状態の様々な状態は、連結部２３０またはその内側のヒンジ部に備えられる別途のセンサ、ユーザのグリップ位置や、背面カメラなどの第１本体の後側に露出した移動端末機の構成が遮蔽されるか否かなどによって検知されるようにしてもよい。
【０４０１】
このように、本発明による移動端末機および移動端末機を備える電子機器によれば、複数のディスプレイを活用してより簡単かつ容易に画面制御およびアクセスを行うことができる。具体的には、複数のディスプレイに表示された画面を、それぞれ独立して制御することもでき、１つの拡張されたディスプレイとして用いることもできる。また、いずれか１つのディスプレイから他のディスプレイへ画面転送を行ったり、ミラーリング機能に基づいて同じアプリケーションの異なる実行デプスの確認および移行を同時に行うことができる。さらに、電子機器の閉状態でもイベントを確認することができるだけでなく、開状態に移行すると直ちにイベントに対応する情報を取得することができる。それに、複数のディスプレイ部により形成される様々な開状態を検知し、ユーザに有用な動作モードを提供することにより、ユーザ利便性および使用性の向上を同時にもたらす。
【図１Ａ】
2021526267.tif 000003
【図１Ｂ】
2021526267.tif 000004
【図２ａ】
2021526267.tif 000005
【図２ｂ】
2021526267.tif 000006
【図２ｃ】
2021526267.tif 000007
【図２ｄ】
2021526267.tif 000008
【図３Ａ】
2021526267.tif 000009
【図３Ｂ】
2021526267.tif 000010
【図３Ｃ】
2021526267.tif 000011
【図４】
2021526267.tif 000012
【図５】
2021526267.tif 000013
【図６Ａ】
2021526267.tif 000014
【図６Ｂ】
2021526267.tif 000015
【図６Ｃ】
2021526267.tif 000016
【図６Ｄ】
2021526267.tif 000017
【図７ａ】
2021526267.tif 000018
【図７ｂ】
2021526267.tif 000019
【図７ｃ】
2021526267.tif 000020
【図８Ａ】
2021526267.tif 000021
【図８Ｂ】
2021526267.tif 000022
【図８Ｃ】
2021526267.tif 000023
【図９ａ】
2021526267.tif 000024
【図９ｂ】
2021526267.tif 000025
【図１０Ａ】
2021526267.tif 000026
【図１０Ｂ】
2021526267.tif 000027
【図１１ａ】
2021526267.tif 000028
【図１１ｂ】
2021526267.tif 000029
【図１１ｃ】
2021526267.tif 000030
【図１１ｄ】
2021526267.tif 000031
【図１２Ａ】
2021526267.tif 000032
【図１２Ｂ】
2021526267.tif 000033
【図１２Ｃ】
2021526267.tif 000034
【図１３Ａ】
2021526267.tif 000035
【図１３Ｂ】
2021526267.tif 000036
【図１３Ｃ】
2021526267.tif 000037
【図１４Ａ】
2021526267.tif 000038
【図１４Ｂ】
2021526267.tif 000039
【図１４Ｃ】
2021526267.tif 000040
【図１５ａ】
2021526267.tif 000041
【図１５ｂ】
2021526267.tif 000042
【図１５ｃ】
2021526267.tif 000043
【図１６Ａ】
2021526267.tif 000044
【図１６Ｂ】
2021526267.tif 000045
【図１６Ｃ】
2021526267.tif 000046
【図１７Ａ】
2021526267.tif 000047
【図１７Ｂ】
2021526267.tif 000048
【図１８Ａ】
2021526267.tif 000049
【図１８Ｂ】
2021526267.tif 000050
【図１８Ｃ】
2021526267.tif 000051
【図１８Ｄ】
2021526267.tif 000052
【図１９Ａ】
2021526267.tif 000053
【図１９Ｂ】
2021526267.tif 000054
【国際調査報告】
2021526267.tif 000055
2021526267.tif 000056
2021526267.tif 000057
2021526267.tif 000058